(57)【要約】【目的】  ＤＶＤ＋ＲＷディスクをＣＧＭＳ，ＣＰＲＭに対応させる。【構成】  ＤＶＤ＋ＲＷドライブ装置１のコントローラ１８は、ＤＶＤ＋ＲＷディスク１９にＤＶＤ＋ＲＷアライアンスによって規格化されたＤＶＤ＋ＲＷビデオレコーディングフォーマットでデータを記録し、そのデータ記録時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する。【選択図】        図１
2005050490.tif 000002
【特許請求の範囲】
【請求項１】
光ディスクにビデオレコーディングフォーマットでデータを記録するデータ記録手段と、該データ記録手段によってデータを記録する時、前記ビデオレコーディングフォーマットの所定領域に世代管理された又は暗号化されたデータ記録であることを示す識別情報を記録する識別情報記録手段とを備えたことを特徴とする情報記録装置。
【請求項２】
前記光ディスクがメディア固有の識別情報を持たない光ディスクであることを特徴とする請求項１記載の情報記録装置。
【請求項３】
前記光ディスクがＤＶＤ＋ＲＷディスクもしくはＤＶＤ＋Ｒディスクであることを特徴とする請求項１又は２記載の情報記録装置。
【請求項４】
前記ビデオレコーディングフォーマットがＤＶＤ＋ＲＷビデオレコーディングフォーマットもしくはＤＶＤ＋Ｒビデオレコーディングフォーマットであることを特徴とする請求項１乃至３のいずれか一項に記載の情報記録装置。
【請求項５】
前記世代管理された又は暗号化されたデータ記録がデータの複製を制御する仕組みであるＣＧＭＳ又はデータを記録するときの暗号化方式であるＣＰＲＭに基づくデータ記録であることを特徴とする請求項１乃至４のいずれか一項に記載の情報記録装置。
【請求項６】
請求項１乃至５のいずれか一項に記載の情報記録装置にデータ出力可能に接続する接続手段と、固有の識別コードを記憶する識別コード記憶手段と、該識別コード記憶手段に記憶された識別コードに基づいて記録用のデータを暗号化する暗号化手段と、該暗号化手段によって暗号化された記録用のデータを前記接続手段を介して前記情報記録装置へ出力する出力手段とを備えたことを特徴とする情報出力装置。
【請求項７】
固有の識別情報を記憶する識別情報記憶手段と、光ディスクをフォーマットすると共に、該フォーマット時に前記光ディスクの所定領域に前記識別コード記憶手段に記憶された識別情報を記録するフォーマット手段と、該フォーマット手段によってフォーマットされた光ディスクにビデオレコーディングフォーマットでデータを記録するデータ記録手段と、該データ記録手段によってデータを記録する時、前記ビデオレコーディングフォーマットの所定領域に世代管理された又は暗号化されたデータ記録であることを示す識別情報を記録する識別情報記録手段と、外部からの再生許可・不許可制御コマンドに基づいて光ディスクの再生時、該光ディスクに固有の識別情報が記録されているか否かを判断する固有識別情報記録有無判断手段と、該固有識別情報記録有無判断手段によって光ディスクに固有の識別情報が記録されていると判断されたときには前記識別情報記憶手段に記憶された識別情報と一致するか否かを判断する識別情報一致判断手段と、該識別情報一致判断手段によって識別情報が一致すると判断されたときは前記光ディスクの再生を可能にし、前記固有識別情報記録有無判断手段によって光ディスクに固有の識別情報が記録されていないと判断されたとき又は前記識別情報一致判断手段によって識別情報が一致しないと判断されたときは前記光ディスクの再生を不可能にする再生手段とを備えたことを特徴とする情報記録再生装置。
【請求項８】
前記光ディスクがメディア固有の識別情報を持たない光ディスクであることを特徴とする請求項７記載の情報記録再生装置。
【請求項９】
前記光ディスクがＤＶＤ＋ＲＷディスクもしくはＤＶＤ＋Ｒディスクであることを特徴とする請求項７又は８記載の情報記録再生装置。
【請求項１０】
前記ビデオレコーディングフォーマットがＤＶＤ＋ＲＷビデオレコーディングフォーマットもしくはＤＶＤ＋Ｒビデオレコーディングフォーマットであることを特徴とする請求項７乃至９のいずれか一項に記載の情報記録再生装置。
【請求項１１】
前記世代管理された又は暗号化されたデータ記録がデータの複製を制御する仕組みであるＣＧＭＳ又はデータを記録するときの暗号化方式であるＣＰＲＭに基づくデータ記録であることを特徴とする請求項７乃至１０のいずれか一項に記載の情報記録再生装置。
【請求項１２】
請求項７乃至１１のいずれか一項に記載の情報記録再生装置にデータ入出力可能に接続する接続手段と、前記情報記録装置へ前記再生許可・不許可制御コマンドを出力し、前記情報記録装置内部で前記ディスクの再生を制御させる再生制御手段を備えたことを特徴とする情報再生制御装置。
【請求項１３】
光ディスクにビデオレコーディングフォーマットでデータを記録するデータ記録手順と、該データ記録手順によってデータを記録する時、前記ビデオレコーディングフォーマットの所定領域に世代管理された又は暗号化されたデータ記録であることを示す識別情報を記録する識別情報記録手順とからなることを特徴とする情報記録方法。
【請求項１４】
前記光ディスクがメディア固有の識別情報を持たない光ディスクであることを特徴とする請求項１３記載の情報記録方法。
【請求項１５】
前記光ディスクがＤＶＤ＋ＲＷディスクもしくはＤＶＤ＋Ｒディスクであることを特徴とする請求項１３又は１４記載の情報記録方法。
【請求項１６】
前記ビデオレコーディングフォーマットがＤＶＤ＋ＲＷビデオレコーディングフォーマットもしくはＤＶＤ＋Ｒビデオレコーディングフォーマットであることを特徴とする請求項１３乃至１５のいずれか一項に記載の情報記録方法。
【請求項１７】
前記世代管理された又は暗号化されたデータ記録がデータの複製を制御する仕組みであるＣＧＭＳ又はデータを記録するときの暗号化方式であるＣＰＲＭに基づくデータ記録であることを特徴とする請求項１３乃至１６のいずれか一項に記載の情報記録方法。
【請求項１８】
外部に接続された情報記録装置へデータ出力可能に接続した装置において実行する情報出力方法であって、予め当該装置に記憶された固有の識別コードに基づいて記録用のデータを暗号化する暗号化手順と、該暗号化手順によって暗号化された記録用のデータを前記情報記録装置へ出力する出力手順とからなることを特徴とする情報出力方法。
【請求項１９】
光ディスクに対するデータの記録及び再生を行う装置において実行する情報記録再生方法であって、前記光ディスクをフォーマットすると共に、該フォーマット時に前記光ディスクの所定領域に予め当該装置に記憶された固有の識別情報を記録するフォーマット手順と、該フォーマット手順によってフォーマットされた光ディスクにビデオレコーディングフォーマットでデータを記録するデータ記録手順と、該データ記録手順によってデータを記録する時、前記ビデオレコーディングフォーマットの所定領域に世代管理された又は暗号化されたデータ記録であることを示す識別情報を記録する識別情報記録手順と、外部からの再生許可・不許可制御コマンドに基づいてディスクの再生時、該光ディスクに固有の識別情報が記録されているか否かを判断する固有識別情報記録有無判断手順と、該固有識別情報記録有無判断手順によって光ディスクに固有の識別情報が記録されていると判断されたときには前記予め当該装置に記憶された識別情報と一致するか否かを判断する識別情報一致判断手順と、該識別情報一致判断手順によって識別情報が一致すると判断されたときは前記光ディスクの再生を可能にし、前記固有識別情報記録有無判断手順によって光ディスクに固有の識別情報が記録されていないと判断されたとき又は前記識別情報一致判断手順によって識別情報が一致しないと判断されたときは前記光ディスクの再生を不可能にする再生手順とからなることを特徴とする情報記録再生方法。
【請求項２０】
前記光ディスクがメディア固有の識別情報を持たない光ディスクであることを特徴とする請求項１９記載の情報記録再生方法。
【請求項２１】
前記光ディスクがＤＶＤ＋ＲＷディスクもしくはＤＶＤ＋Ｒディスクであることを特徴とする請求項１９又は２０記載の情報記録再生方法。
【請求項２２】
前記ビデオレコーディングフォーマットがＤＶＤ＋ＲＷビデオレコーディングフォーマットもしくはＤＶＤ＋Ｒビデオレコーディングフォーマットであることを特徴とする請求項１９乃至２１のいずれか一項に記載の情報記録再生方法。
【請求項２３】
前記世代管理された又は暗号化されたデータ記録がデータの複製を制御する仕組みであるＣＧＭＳ又はデータを記録するときの暗号化方式であるＣＰＲＭに基づくデータ記録であることを特徴とする請求項１９乃至２２のいずれか一項に記載の情報記録再生方法。
【請求項２４】
外部に接続された情報記録再生装置に対してデータ入出力可能に接続した装置において実行する情報再生制御方法であって、前記情報記録再生装置へ再生許可・不許可制御コマンドを出力し、前記情報記録再生装置内部で光ディスクの再生を制御させる再生制御手順からなることを特徴とする情報再生制御方法。
【請求項２５】
コンピュータに、光ディスクにビデオレコーディングフォーマットでデータを記録するデータ記録手順と、該データ記録手順によってデータを記録する時、前記ビデオレコーディングフォーマットの所定領域に世代管理された又は暗号化されたデータ記録であることを示す識別情報を記録する識別情報記録手順とを実行させるためのプログラム。
【請求項２６】
コンピュータに、予め当該コンピュータに記憶された固有の識別コードに基づいて記録用のデータを暗号化する暗号化手順と、該暗号化手順によって暗号化された記録用のデータを外部に接続された情報記録装置へ出力する出力手順とを実行させるためのプログラム。
【請求項２７】
コンピュータに、光ディスクをフォーマットすると共に、該フォーマット時に前記光ディスクの所定領域に予め当該コンピュータに記憶された固有の識別情報を記録するフォーマット手順と、該フォーマット手順によってフォーマットされた光ディスクにビデオレコーディングフォーマットでデータを記録するデータ記録手順と、該データ記録手順によってデータを記録する時、前記ビデオレコーディングフォーマットの所定領域に世代管理された又は暗号化されたデータ記録であることを示す識別情報を記録する識別情報記録手順と、外部からの再生許可・不許可制御コマンドに基づいて光ディスクの再生時、該光ディスクに固有の識別情報が記録されているか否かを判断する固有識別情報記録有無判断手順と、該固有識別情報記録有無判断手順によって光ディスクに固有の識別情報が記録されていると判断されたときには前記予め当該コンピュータに記憶された識別情報と一致するか否かを判断する識別情報一致判断手順と、該識別情報一致判断手順によって識別情報が一致すると判断されたときは前記光ディスクの再生を可能にし、前記固有識別情報記録有無判断手順によって光ディスクに固有の識別情報が記録されていないと判断されたとき又は前記識別情報一致判断手順によって識別情報が一致しないと判断されたときは前記光ディスクの再生を不可能にする再生手順とを実行させるためのプログラム。
【請求項２８】
コンピュータに、外部に接続された情報記録再生装置へ再生許可・不許可制御コマンドを出力し、前記情報記録再生装置内部で光ディスクの再生を制御させる再生制御手順を実行させるためのプログラム。
【請求項２９】
前記光ディスクがメディア固有の識別情報を持たない光ディスクである請求項２５又は２７記載のプログラム。
【請求項３０】
前記光ディスクがＤＶＤ＋ＲＷディスクもしくはＤＶＤ＋Ｒディスクである請求項２５，２７，２９のいずれか一項に記載のプログラム。
【請求項３１】
前記ビデオレコーディングフォーマットがＤＶＤ＋ＲＷビデオレコーディングフォーマットもしくはＤＶＤ＋Ｒビデオレコーディングフォーマットである請求項２５，２７，２９，３０のいずれか一項に記載のプログラム。
【請求項３２】
前記世代管理された又は暗号化されたデータ記録がデータの複製を制御する仕組みであるＣＧＭＳ又はデータを記録するときの暗号化方式であるＣＰＲＭに基づくデータ記録である請求項２５，２７，２９，３０，３１のいずれか一項に記載のプログラム。
【請求項３３】
前記光ディスクに記録するデータをＣＰＲＭで暗号化するのに使用し、光ディスク毎に固有な情報であるメディアＩＤを生成するメディアＩＤ生成手段と、該メディアＩＤ生成手段によって生成したメディアＩＤを前記光ディスクの所定領域に記録するメディアＩＤ記録手段とを設けたことを特徴とする請求項２又は８記載の情報記録再生装置。
【請求項３４】
前記メディアＩＤ記録手段は、前記メディアＩＤ生成手段によって生成したメディアＩＤを暗号化して前記光ディスクの所定領域に記録する手段であることを特徴とする請求項３３記載の情報記録再生装置。
【請求項３５】
前記所定領域は、光ディスクの再生専用装置でも認識可能な領域であることを特徴とする請求項３３又は３４記載の情報記録再生装置。
【請求項３６】
前記光ディスクから暗号化されて記録されたメディアＩＤを再生して解読する解読手段を設けたことを特徴とする請求項３４又は３５記載の情報記録再生装置。
【請求項３７】
前記光ディスクに記録するデータをＣＰＲＭで暗号化するのに使用し、光ディスク毎に固有な情報であるメディアＩＤを生成するメディアＩＤ生成手順と、該メディアＩＤ生成手順によって生成したメディアＩＤを前記光ディスクの所定領域に記録するメディアＩＤ記録手順とを有することを特徴とする請求項２０記載の情報記録再生方法。
【請求項３８】
前記メディアＩＤ記録手順は、前記メディアＩＤ生成手順によって生成したメディアＩＤを暗号化して前記光ディスクの所定領域に記録する手順であることを特徴とする請求項３７記載の情報記録再生方法。
【請求項３９】
前記所定領域は、光ディスクの再生専用装置でも認識可能な領域であることを特徴とする請求項３７又は３８記載の情報記録再生方法。
【請求項４０】
前記光ディスクから暗号化されて記録されたメディアＩＤを再生して解読する解読手順を有することを特徴とする請求項３８又は３９記載の情報記録再生方法。
【発明の詳細な説明】
【技術分野】
【０００１】
この発明は、ＣＤ−Ｒディスク，ＣＤ−ＲＷディスク，ＤＶＤ−Ｒディスク，ＤＶＤ−ＲＷディスク，ＤＶＤ＋Ｒディスク，ＤＶＤ＋ＲＷディスク等の光ディスクにデータ記録可能なＣＤ−Ｒドライブ，ＣＤ−ＲＷドライブ，ＤＶＤ−Ｒドライブ，ＤＶＤ−ＲＷドライブ，ＤＶＤ＋Ｒドライブ，ＤＶＤ＋ＲＷドライブ等の情報記録装置と、その情報記録装置へデータを出力するパーソナルコンピュータ等の情報出力装置と、ＤＶＤ＋ＲＷディスク等の光ディスクに対するデータ記録再生可能なＤＶＤ＋ＲＷドライブ等の情報記録再生装置と、その情報記録再生装置に対するデータ入出力が可能なパーソナルコンピュータ等の情報再生制御装置と、情報記録方法と情報出力方法と情報記録再生方法と情報再生制御方法とプログラムとに関する。
【背景技術】
【０００２】
現在、デジタル放送が行われ始めており、ＣＤ−Ｒ／ＲＷドライブ，ＤＶＤ−Ｒ／ＲＷドライブ，ＤＶＤ＋Ｒ／ＲＷドライブ等の情報記録装置によってＣＤ−Ｒ／ＲＷディスク，ＤＶＤ−Ｒ／ＲＷディスク，ＤＶＤ＋Ｒ／ＲＷディスク等のデータ記録可能な光ディスクにデジタルデータを録画（記録）することが可能となってきた。
しかし、デジタル放送が簡単に録画出来てしまうとその映像画質のクオリティのまま複製が可能で違法なコピーが出来てしまうという問題がある。
【０００３】
そこで従来の情報記録装置では、上記のような違法なコピー防止対策として、マクロビジョン信号検出による制御、コピー・ジェネレーション・マネジメント・システム（Ｃｏｐｙ  Ｇｅｎｅｒａｔｉｏｎ  Ｍａｎａｇｅｍｅｎｔ  Ｓｙｓｔｅｍ：ＣＧＭＳ）と、コンテント・プロテクション・フォー・レコーダブル・メディア（Ｃｏｎｔｅｎｔ  Ｐｒｏｔｅｃｔｉｏｎ  ｆｏｒ  Ｒｅｃｏｒｄａｂｌｅ  Ｍｅｄｉａ：ＣＰＲＭ）の技術が導入されている。ＣＧＭＳとは、デジタル録画機器に対応した世代管理システムであり、ＣＰＲＭとは、一回だけ録画を許された番組に対してスクランブルをかけて録画する著作権保護技術として現在運用されている（例えば、特許文献１〜４参照）。
【０００４】
【特許文献１】特開２００１−３５１３２３号公報
【特許文献２】特開２００２−８４２７１号公報
【特許文献３】特開平１１−１０２５７２号公報
【特許文献４】特開２００１−２２９５４２号公報
【発明の開示】
【発明が解決しようとする課題】
【０００５】
しかしながら、ＤＶＤ＋ＲＷドライブ（ＤＶＤ＋ＲＷレコーダ）でのデータ記録方法においては、パーソナルコンピュータに接続されて使用された場合に、ＤＶＤビデオなどの違法コピーを防止する意味から同じものが複製出来ないようにハードウェアによる制限を設けており、その制限により、ＤＶＤ＋ＲＷドライブではＣＧＭＳに対応したコピーディスクを作成することが出来ないという問題があった。また、現在制定されているＣＰＲＭでは、メディアに予め固有の識別情報を記録させたディスクを使用するが、現状のＤＶＤ＋ＲＷディスクにはそれに相当する情報が無く、そのままでは機能させることが出来ない。
【０００６】
そこで、今後発売されるＤＶＤ＋ＲＷドライブやパーソナルコンピュータで使用された場合の映像記録においても対応できるようにする必要性が求められている。
この発明は上記の課題を解決するためになされたものであり、ＤＶＤ＋ＲＷディスクをＣＧＭＳ，ＣＰＲＭに対応させることを目的とする。
【課題を解決するための手段】
【０００７】
この発明は上記の目的を達成するため、次の情報記録装置と情報出力装置と情報記録再生装置と情報再生制御装置を提供する。
（１）光ディスクにビデオレコーディングフォーマットでデータを記録するデータ記録手段と、そのデータ記録手段によってデータを記録する時、上記ビデオレコーディングフォーマットの所定領域に世代管理された又は暗号化されたデータ記録であることを示す識別情報を記録する識別情報記録手段を備えた情報記録装置。
【０００８】
（２）上記（１）の情報記録装置において、上記光ディスクがメディア固有の識別情報を持たない光ディスクである情報記録装置。
（３）上記（１）（２）の情報記録装置において、上記光ディスクがＤＶＤ＋ＲＷディスクもしくはＤＶＤ＋Ｒディスクである情報記録装置。
（４）上記（１）〜（３）の情報記録装置において、上記ビデオレコーディングフォーマットがＤＶＤ＋ＲＷビデオレコーディングフォーマットもしくはＤＶＤ＋Ｒビデオレコーディングフォーマットである情報記録装置。
（５）上記（１）〜（４）の情報記録装置において、上記世代管理された又は暗号化されたデータ記録がデータの複製を制御する仕組みであるＣＧＭＳ又はデータを記録するときの暗号化方式であるＣＰＲＭに基づくデータ記録である情報記録装置。
【０００９】
（６）上記（１）〜（５）の情報記録装置にデータ出力可能に接続する接続手段と、固有の識別コードを記憶する識別コード記憶手段と、その識別コード記憶手段に記憶された識別コードに基づいて記録用のデータを暗号化する暗号化手段と、その暗号化手段によって暗号化された記録用のデータを上記接続手段を介して上記情報記録装置へ出力する出力手段を備えた情報出力装置。
【００１０】
（７）固有の識別情報を記憶する識別情報記憶手段と、光ディスクをフォーマットすると共に、そのフォーマット時に上記光ディスクの所定領域に上記識別コード記憶手段に記憶された識別情報を記録するフォーマット手段と、そのフォーマット手段によってフォーマットされた光ディスクにビデオレコーディングフォーマットでデータを記録するデータ記録手段と、そのデータ記録手段によってデータを記録する時、上記ビデオレコーディングフォーマットの所定領域に世代管理された又は暗号化されたデータ記録であることを示す識別情報を記録する識別情報記録手段と、外部からの再生許可・不許可制御コマンドに基づいて光ディスクの再生時、その光ディスクに固有の識別情報が記録されているか否かを判断する固有識別情報記録有無判断手段と、その固有識別情報記録有無判断手段によって光ディスクに固有の識別情報が記録されていると判断されたときには上記識別情報記憶手段に記憶された識別情報と一致するか否かを判断する識別情報一致判断手段と、その識別情報一致判断手段によって識別情報が一致すると判断されたときは上記光ディスクの再生を可能にし、上記固有識別情報記録有無判断手段によって光ディスクに固有の識別情報が記録されていないと判断されたとき又は上記識別情報一致判断手段によって識別情報が一致しないと判断されたときは上記光ディスクの再生を不可能にする再生手段を備えた情報記録再生装置。
【００１１】
（８）上記（７）の情報記録再生装置において、上記光ディスクがメディア固有の識別情報を持たない光ディスクである情報記録再生装置。
（９）上記（７）（８）の情報記録再生装置において、上記光ディスクがＤＶＤ＋ＲＷディスクもしくはＤＶＤ＋Ｒディスクである情報記録再生装置。
（１０）上記（７）〜（９）の情報記録再生装置において、上記ビデオレコーディングフォーマットがＤＶＤ＋ＲＷビデオレコーディングフォーマットもしくはＤＶＤ＋Ｒビデオレコーディングフォーマットである情報記録再生装置。
（１１）上記（７）〜（１０）の情報記録再生装置において、上記世代管理された又は暗号化されたデータ記録がデータの複製を制御する仕組みであるＣＧＭＳ又はデータを記録するときの暗号化方式であるＣＰＲＭに基づくデータ記録である情報記録再生装置。
【００１２】
（１２）上記（７）〜（１１）の情報記録再生装置にデータ入出力可能に接続する接続手段と、上記情報記録装置へ上記再生許可・不許可制御コマンドを出力し、上記情報記録装置内部で上記ディスクの再生を制御させる再生制御手段を備えた情報再生制御装置。
【００１３】
また、次の情報記録方法と情報出力方法と情報記録再生方法と情報再生制御方法も提供する。
（１３）光ディスクにビデオレコーディングフォーマットでデータを記録するデータ記録手順と、そのデータ記録手順によってデータを記録する時、上記ビデオレコーディングフォーマットの所定領域に世代管理された又は暗号化されたデータ記録であることを示す識別情報を記録する識別情報記録手順とからなる情報記録方法。
【００１４】
（１４）上記（１３）の情報記録方法において、上記光ディスクがメディア固有の識別情報を持たない光ディスクである情報記録方法。
（１５）上記（１３）（１４）の情報記録方法において、上記光ディスクがＤＶＤ＋ＲＷディスクもしくはＤＶＤ＋Ｒディスクである情報記録方法。
（１６）上記（１３）〜（１５）の情報記録方法において、上記ビデオレコーディングフォーマットがＤＶＤ＋ＲＷビデオレコーディングフォーマットもしくはＤＶＤ＋Ｒビデオレコーディングフォーマットである情報記録方法。
（１７）上記（１３）〜（１６）の情報記録方法において、上記世代管理された又は暗号化されたデータ記録がデータの複製を制御する仕組みであるＣＧＭＳ又はデータを記録するときの暗号化方式であるＣＰＲＭに基づくデータ記録である情報記録方法。
【００１５】
（１８）外部に接続された情報記録装置へデータ出力可能に接続した装置において実行する情報出力方法であって、予め当該装置に記憶された固有の識別コードに基づいて記録用のデータを暗号化する暗号化手順と、その暗号化手順によって暗号化された記録用のデータを上記情報記録装置へ出力する出力手順とからなる情報出力方法。
【００１６】
（１９）光ディスクに対するデータの記録及び再生を行う装置において実行する情報記録再生方法であって、上記光ディスクをフォーマットすると共に、そのフォーマット時に上記光ディスクの所定領域に予め当該装置に記憶された固有の識別情報を記録するフォーマット手順と、そのフォーマット手順によってフォーマットされた光ディスクにビデオレコーディングフォーマットでデータを記録するデータ記録手順と、そのデータ記録手順によってデータを記録する時、上記ビデオレコーディングフォーマットの所定領域に世代管理された又は暗号化されたデータ記録であることを示す識別情報を記録する識別情報記録手順と、外部からの再生許可・不許可制御コマンドに基づいてディスクの再生時、その光ディスクに固有の識別情報が記録されているか否かを判断する固有識別情報記録有無判断手順と、その固有識別情報記録有無判断手順によって光ディスクに固有の識別情報が記録されていると判断されたときには上記予め当該装置に記憶された識別情報と一致するか否かを判断する識別情報一致判断手順と、その識別情報一致判断手順によって識別情報が一致すると判断されたときは上記光ディスクの再生を可能にし、上記固有識別情報記録有無判断手順によって光ディスクに固有の識別情報が記録されていないと判断されたとき又は上記識別情報一致判断手順によって識別情報が一致しないと判断されたときは上記光ディスクの再生を不可能にする再生手順とからなる情報記録再生方法。
【００１７】
（２０）上記（１９）の情報記録再生方法において、上記光ディスクがメディア固有の識別情報を持たない光ディスクである情報記録再生方法。
（２１）上記（１９）（２０）の情報記録再生方法において、上記光ディスクがＤＶＤ＋ＲＷディスクもしくはＤＶＤ＋Ｒディスクである情報記録再生方法。
（２２）上記（１９）〜（２１）の情報記録再生方法において、上記ビデオレコーディングフォーマットがＤＶＤ＋ＲＷビデオレコーディングフォーマットもしくはＤＶＤ＋Ｒビデオレコーディングフォーマットである情報記録再生方法。
（２３）上記（１９）〜（２２）の情報記録再生方法において、上記世代管理された又は暗号化されたデータ記録がデータの複製を制御する仕組みであるＣＧＭＳ又はデータを記録するときの暗号化方式であるＣＰＲＭに基づくデータ記録である情報記録再生方法。
【００１８】
（２４）外部に接続された情報記録再生装置に対してデータ入出力可能に接続した装置において実行する情報再生制御方法であって、上記情報記録再生装置へ再生許可・不許可制御コマンドを出力し、上記情報記録再生装置内部で光ディスクの再生を制御させる再生制御手順からなる情報再生制御方法。
【００１９】
さらに、次の各プログラムも提供する。
（２５）コンピュータに、光ディスクにビデオレコーディングフォーマットでデータを記録するデータ記録手順と、そのデータ記録手順によってデータを記録する時、上記ビデオレコーディングフォーマットの所定領域に世代管理された又は暗号化されたデータ記録であることを示す識別情報を記録する識別情報記録手順を実行させるためのプログラム。
（２６）コンピュータに、予め当該コンピュータに記憶された固有の識別コードに基づいて記録用のデータを暗号化する暗号化手順と、その暗号化手順によって暗号化された記録用のデータを外部に接続された情報記録装置へ出力する出力手順を実行させるためのプログラム。
【００２０】
（２７）コンピュータに、光ディスクをフォーマットすると共に、そのフォーマット時に上記光ディスクの所定領域に予め当該コンピュータに記憶された固有の識別情報を記録するフォーマット手順と、そのフォーマット手順によってフォーマットされた光ディスクにビデオレコーディングフォーマットでデータを記録するデータ記録手順と、そのデータ記録手順によってデータを記録する時、上記ビデオレコーディングフォーマットの所定領域に世代管理された又は暗号化されたデータ記録であることを示す識別情報を記録する識別情報記録手順と、外部からの再生許可・不許可制御コマンドに基づいて光ディスクの再生時、その光ディスクに固有の識別情報が記録されているか否かを判断する固有識別情報記録有無判断手順と、その固有識別情報記録有無判断手順によって光ディスクに固有の識別情報が記録されていると判断されたときには上記予め当該コンピュータに記憶された識別情報と一致するか否かを判断する識別情報一致判断手順と、その識別情報一致判断手順によって識別情報が一致すると判断されたときは上記光ディスクの再生を可能にし、上記固有識別情報記録有無判断手順によって光ディスクに固有の識別情報が記録されていないと判断されたとき又は上記識別情報一致判断手順によって識別情報が一致しないと判断されたときは上記光ディスクの再生を不可能にする再生手順を実行させるためのプログラム。
【００２１】
（２８）コンピュータに、外部に接続された情報記録再生装置へ再生許可・不許可制御コマンドを出力し、上記情報記録再生装置内部で光ディスクの再生を制御させる再生制御手順を実行させるためのプログラム。
（２９）上記（２５）（２７）のプログラムにおいて、上記光ディスクがメディア固有の識別情報を持たない光ディスクであるプログラム。
（３０）上記（２５）（２７）（２９）のプログラムにおいて、上記光ディスクがＤＶＤ＋ＲＷディスクもしくはＤＶＤ＋Ｒディスクであるプログラム。
（３１）上記（２５）（２７）（２９）（３０）のプログラムにおいて、上記ビデオレコーディングフォーマットがＤＶＤ＋ＲＷビデオレコーディングフォーマットもしくはＤＶＤ＋Ｒビデオレコーディングフォーマットであるプログラム。
（３２）上記（２５）（２７）（２９）（３０）（３１）のプログラムにおいて、上記世代管理された又は暗号化されたデータ記録がデータの複製を制御する仕組みであるＣＧＭＳ又はデータを記録するときの暗号化方式であるＣＰＲＭに基づくデータ記録であるプログラム。
【００２２】
また、次の各情報記録再生装置も提供する。
（３３）上記（２）又は（８）の情報記録再生装置において、上記光ディスクに記録するデータをＣＰＲＭで暗号化するのに使用し、光ディスク毎に固有な情報であるメディアＩＤを生成するメディアＩＤ生成手段と、そのメディアＩＤ生成手段によって生成したメディアＩＤを上記光ディスクの所定領域に記録するメディアＩＤ記録手段を設けた情報記録再生装置。
（３４）上記（３３）の情報記録再生装置において、上記メディアＩＤ記録手段を、上記メディアＩＤ生成手段によって生成したメディアＩＤを暗号化して上記光ディスクの所定領域に記録する手段にした情報記録再生装置。
（３５）上記（３３）又は（３４）の情報記録再生装置において、上記所定領域を、光ディスクの再生専用装置でも認識可能な領域にした情報記録再生装置。
（３６）上記（３４）又は（３５）の情報記録再生装置において、上記光ディスクから暗号化されて記録されたメディアＩＤを再生して解読する解読手段を設けた情報記録再生装置。
【００２３】
さらに、次の各情報記録再生方法も提供する。
（３７）上記（２０）の情報記録再生方法において、上記光ディスクに記録するデータをＣＰＲＭで暗号化するのに使用し、光ディスク毎に固有な情報であるメディアＩＤを生成するメディアＩＤ生成手順と、そのメディアＩＤ生成手順によって生成したメディアＩＤを上記光ディスクの所定領域に記録するメディアＩＤ記録手順を有する情報記録再生方法。
（３８）上記（３７）の情報記録再生方法において、上記メディアＩＤ記録手順を、上記メディアＩＤ生成手順によって生成したメディアＩＤを暗号化して上記光ディスクの所定領域に記録する手順にした情報記録再生方法。
（３９）上記（３７）又は（３８）の情報記録再生方法において、上記所定領域を、光ディスクの再生専用装置でも認識可能な領域にした情報記録再生方法。
（４０）上記（３８）又は（３９）の情報記録再生方法において、上記光ディスクから暗号化されて記録されたメディアＩＤを再生して解読する解読手順を有する情報記録再生方法。
【発明の効果】
【００２４】
この発明による情報記録装置と情報出力装置と情報記録再生装置と情報再生制御装置と情報記録方法と情報出力方法と情報記録再生方法と情報再生制御方法とプログラムは、ＤＶＤ＋ＲＷディスクをＣＧＭＳ，ＣＰＲＭに対応させることができる。
【発明を実施するための最良の形態】
【００２５】
以下、この発明を実施するための最良の形態を図面に基づいて具体的に説明する。
図１は、この発明の一実施形態であるＤＶＤレコーダ装置の構成を示すブロック図である。
このＤＶＤレコーダ装置は、ＤＶＤ＋ＲＷドライブ装置（光ディスクドライブ装置）とＤＶＤレコーダ制御装置（同図にはこの発明に係る主要部とデータ転送部分を示す）とからなる。
【００２６】
ＤＶＤ＋ＲＷドライブ装置１は、この発明に係る情報記録装置及び情報記録再生装置に相当し、データ記録及び再生が可能な情報記録媒体であるＤＶＤ＋ＲＷディスク（光ディスク）１９に対するデータの記録及び再生を行う。
ＤＶＤ＋ＲＷディスク１９を回転させるスピンドルモータ等のモータ１０と、そのモータ１０の回転を制御する回転制御系部１１と、ＤＶＤ＋ＲＷディスク１９にデータ記録及び再生のためのレーザ光Ｌを照射する光ピックアップ１２を備えている。
【００２７】
また、その光ピックアップ１２をＤＶＤ＋ＲＷディスク１９の半径方向に移動させる粗動モータと、その粗動モータの回転駆動制御を行う粗動モータ制御系部と、その光ピックアップ１２によるレーザ光Ｌの発光駆動等の制御を行う光ピックアップ制御系部とからなる粗動モータ／光ピックアップ制御系部１３と、光ピックアップ１２からの再生信号と光ピックアップ１２への記録信号の入出力を制御する信号処理系部１４と、ＤＶＤ＋ＲＷディスク１９に記録するデータ及びＤＶＤ＋ＲＷディスク１９から再生したデータ等の各種データを一時的に格納すると共に、コントローラ１８が各種の処理を実行する際にデータを一時的に記憶する領域として利用するキャッシュメモリ１５を備えている。
【００２８】
また、このＤＶＤ＋ＲＷドライブ装置の装置固有の識別情報（固有の識別コード）であるドライブＩＤを格納するドライブＩＤ格納部１６と、ＤＶＤレコーダ制御装置２と外部インタフェース３０を介してデータのやり取りが可能に接続し、ＤＶＤレコーダ制御装置２との間のデータのやり取りを制御する外部インタフェース制御系部１７と、ＣＰＵ，ＲＯＭ及びＲＡＭ等からなるマイクロコンピュータによって実現され、図示を省略したＲＯＭやＲＡＭ等のメモリにこの発明に係るプログラムも含む各種のプログラムを記録し、そのプログラムの手順を実行することによってこの発明に係る機能を実現するコントローラ１８を備えている。そのコントローラ１８により、後述のこの発明に係る情報記録方法及び情報記録再生方法の処理を行う。
【００２９】
一方、ＤＶＤレコーダ制御装置２は、この発明に係る情報出力装置及び情報再生制御装置に相当し、外部インタフェース３０を介してＤＶＤ＋ＲＷドライブ装置１とデータの出力及びデータの入出力可能に接続し、ＤＶＤ＋ＲＷドライブ装置１に記録用のデータを出力したり、ＤＶＤ＋ＲＷドライブ装置１に対してデータ再生制御処理の指示を送ったり、ＤＶＤ＋ＲＷドライブ装置１によって再生されたデータを受け取る。
映像信号発生機２０は、映像記録時にＴＶアンテナ，衛星アンテナ等から映像信号を入力してデータ変換部２１へ送り、映像再生時にデータ変換部２１から受け取った映像信号を外部に接続されたビデオ機器等の端子へ出力する。
【００３０】
データ変換部２１は、コントローラ２４からの指示によって機器固有識別情報記憶部２３に記憶された機器固有識別情報に基づいて映像信号発生機２０からの映像信号をエンコードして暗号化し、ＤＶＤ＋ＲＷドライブ装置１によって再生されたデータを入力し、そのデータの暗号化を解除してデコードする処理を行う。
外部インタフェース制御系部２２は、ＤＶＤ＋ＲＷドライブ装置１と外部インタフェース３０を介してデータのやり取りが可能に接続し、ＤＶＤ＋ＲＷドライブ装置１との間のデータのやり取りを制御する。
機器固有識別情報記憶部２３は、このＤＶＤレコーダ制御装置２に固有の識別情報（装置ＩＤ）を読み出し可能に記憶するメモリである。
【００３１】
コントローラ２４は、ＣＰＵ，ＲＯＭ及びＲＡＭ等からなるマイクロコンピュータによって実現され、図示を省略したＲＯＭやＲＡＭ等のメモリにこの発明に係るプログラムも含む各種のプログラムを記録し、そのプログラムの手順を実行することによってこの発明に係る情報出力方法及び情報再生制御方法の処理を行う。
外部インタフェース３０は、ＤＶＤ＋ＲＷドライブ装置１及びＤＶＤレコーダ制御装置２とを接続し、双方でデータのやり取りを可能にするためのＡＴＡＰＩ，ＳＣＳＩ，ＵＳＢ，ＩＥＥＥ１３９４等のインタフェースである。
【００３２】
表１は、ＣＰＲＭに対応した従来のレコーダ関係での約束事を示す対応表である。表２は、上記ＤＶＤ＋ＲＷディスク１９のフォーマッティング・ディスク・コントロール・ブロック（ＦＤＣＢ）のフォーマットを示す表である。
表１に示すように、ＤＶＤ−ＲＷディスク（ＣＰＲＭ対応）とＤＶＤ−Ｒディスクは、１回だけの録画もレコーダでの自己再生も不可である。
また、ＤＶＤ−ＲＷディスク（ＣＰＲＭ未対応）は、１回だけの録画もレコーダでの自己再生も可であり、現行プレーヤ（ＤＶＤ＋ＲＷドライブ装置）での再生が不可である。
【００３３】
表２に示すように、ＤＶＤ＋ＲＷディスクのインナーディスクアイデンティフィケーションゾーン及びアウターディスクアイデンティフィケーションゾーンには、ディスクのフォーマッティングの状態を反映させるためのＦＤＣＢを割り当てている。その物理セクタ０のバイトＤ８〜Ｄ３９のエリアは、このＤＶＤ＋ＲＷディスクを最新に記録したドライブ（フォーマットしたドライブ）の装置固有の識別情報であるドライブＩＤ（Ｄｒｉｖｅ  ＩＤ）を格納する。
【００３４】
また、その他にコンテント・ディスクリプタ（Ｃｏｎｔｅｎｔ  Ｄｅｓｃｒｉｐｔｏｒ），アンノウン・コンテント・ディスクリプター・アクションズ（Ｕｎｋｎｏｗｎ  Ｃｏｎｔｅｎｔ  Ｄｅｓｃｒｉｐｔｏｒ  Ａｃｔｉｏｎｓ），ＦＤＣＢアップデート・カウント（ＦＤＣＢ  ｕｐｄａｔｅ  ｃｏｕｎｔ），フォーマッティング・ステイタス・アンド・モード（Ｆｏｒｍａｔｔｉｎｇ  ｓｔａｔｕｓ  ａｎｄ  ｍｏｄｅ），ラスト・リットゥン・アドレス（Ｌａｓｔ  ｗｒｉｔｔｅｎ  ａｄｄｒｅｓｓ），ラスト・ベリファイド・アドレス（Ｌａｓｔ  ｖｅｒｉｆｉｅｄ  ａｄｒｅｓｓ），ビットマップ・スタート・アドレス（Ｂｉｔｍａｐ  ｓｔａｒｔ  ａｄｄｒｅｓｓ），ビットマップ・レングス（Ｂｉｔｍａｐ  Ｌｅｎｇｔｈ），ディスクＩＤ（Ｄｉｓｃ  ＩＤ），アプリケーション・ディペンデント（Ａｐｐｌｉｃａｔｉｏｎ  ｄｅｐｅｎｄｅｎｔ），リザーブド・アンド・セット・トゥ(00)（Ｒｅｓｅｒｖｅｄ  ａｎｄ  ｓｅｔ  ｔｏ(00)），フォーマッティング・ビットマップ（Ｆｏｒｍａｔｔｉｎｇ  ｂｉｔｍａｐ），リザーブド・アンド・セット・トゥ(00)（Ｒｅｓｅｒｖｅｄ  ａｎｄ  ｓｅｔ  ｔｏ(00)）を格納する。
【００３５】
【表１】
2005050490.tif 000003
【００３６】
【表２】
2005050490.tif 000004
【００３７】
（１）ＤＶＤ＋ＲＷレコーダでは、そのデータ記録方法の特徴としてＶＲフォーマットを使用している。これは、ＤＶＤビデオと互換を取りながら記録した映像のコントロール（タイトル付け，ＣＭスキップ等）が出来るものである。
このＶＲフォーマットは、ＤＶＤビデオのフォーマットとは別の場所に記録されることから、ＶＲフォーマットで使用している情報管理部が変更されてもＤＶＤビデオへの影響はない。
つまり、ＣＧＭＳ，ＣＰＲＭであることを記録する方式において、ＤＶＤ＋ＲＷレコーダで使用されているＶＲフォーマットを利用し、そのファイルフォーマットにＣＧＭＳ，ＣＰＲＭ記録であることを記述すれば、ＤＶＤ＋ＲＷディスクにＣＧＭＳ，ＣＰＲＭ情報部分を作成して記録することができ、ＤＶＤ＋ＲＷディスクをＣＧＭＳ，ＣＰＲＭに対応させることができる。
【００３８】
また、録画した映像データは暗号化されていなければならない。
但し、映像を記録したデータはＤＶＤビデオ互換であることと現在の記録時にはＤＶＤビデオのような暗号化がされていない。そこで、ＣＰＲＭ記録する方式において、記録する映像を機器固有の識別コードで映像データを暗号化して記録させる装置にし、映像を記録する時にその装置固有の識別情報を使用して記録する映像を暗号化する。これにより現行のＤＶＤプレーヤーで再生されたとしても映像が暗号化されているため再生出来なくすることができる。
【００３９】
そこで、この実施形態のＤＶＤ＋ＲＷドライブ装置１は、図１に示したコントローラ１８のメモリに、ＤＶＤ＋ＲＷディスク１９にＤＶＤ＋ＲＷアライアンスによって規格化されたＤＶＤ＋ＲＷビデオレコーディングフォーマットでデータを記録するデータ記録手順と、そのデータ記録手順によってデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する識別情報記録手順を実行させるためのプログラムをインストールして格納している。
【００４０】
そして、コントローラ１８が上記プログラムを実行することにより、ＤＶＤ＋ＲＷディスク１９にＤＶＤ＋ＲＷアライアンスによって規格化されたＤＶＤ＋ＲＷビデオレコーディングフォーマットでデータを記録し、そのデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する処理を行う。
【００４１】
すなわち、コントローラ１８が、この発明の請求項１に係る機能として、ＤＶＤ＋ＲＷディスクにＤＶＤ＋ＲＷアライアンスによって規格化されたＤＶＤ＋ＲＷビデオレコーディングフォーマットでデータを記録するデータ記録手段と、そのデータ記録手段によってデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する識別情報記録手段の機能を果たす。
【００４２】
さらに、この実施形態のＤＶＤレコーダ制御装置２は、図１に示したコントローラ２４のメモリに、予め当該装置に記憶された機器固有識別情報（固有の識別コード）とデータを記録するときの暗号化方式であるＣＰＲＭとに基づいて記録用のデータを暗号化する暗号化手順と、その暗号化手順によって暗号化された記録用のデータを外部に接続されたＤＶＤ＋ＲＷドライブ装置（情報記録装置）１へ出力する出力手順を実行させるためのプログラムをインストールして格納している。
【００４３】
そして、コントローラ２４が上記プログラムを実行することにより、外部に接続されたＤＶＤ＋ＲＷドライブ装置１へデータ出力可能に接続し、予め当該装置に記憶された機器固有識別情報（固有の識別コード）とデータを記録するときの暗号化方式であるＣＰＲＭとに基づいて記録用のデータを暗号化し、その暗号化された記録用のデータをＤＶＤ＋ＲＷドライブ装置１へ出力する処理を行う。
すなわち、コントローラ２４が、この発明の請求項２に係る機能として、上記情報記録装置にデータ出力可能に接続する接続手段と、固有の識別コードを記憶する識別コード記憶手段と、その識別コード記憶手段に記憶された識別コードと上記ＣＰＲＭとに基づいて記録用のデータを暗号化する暗号化手段と、その暗号化手段によって暗号化された記録用のデータを上記接続手段を介して上記情報記録装置へ出力する出力手段の機能を果たす。
【００４４】
図２は、図１に示すＤＶＤレコーダ装置におけるデータ記録処理を示すフローチャート図である。
ＤＶＤ＋ＲＷドライブ装置１のコントローラ１８は、ステップ（図中「Ｓ」で示す）１でディスクに録画可能か否かを判断する。この判断はディスクにＣＧＭＳ又はＣＰＲＭに基づくデータ記録であることを示す識別情報が記録されているか否かをチェックし、記録されていなければ録画不可能と判断し、記録されていれば、さらにＣＧＭＳについてはＤＶＤのデジタル記憶媒体の特定の箇所に特定のデジタル信号として（ｉ）コピー不可，（ｉｉ）コピー１世代のみ可，（ｉｉｉ）コピー自由（無制限）の３通りの情報が組み込まれているので、そのいずれであるかをチェックし、上記（ｉ）なら録画不可能と判断し、上記（ｉｉ）又は上記（ｉｉｉ）なら録画可能と判断する。
【００４５】
ステップ１で録画不可能と判断したら、データ記録処理を終了する。また、録画可能と判断したら、ステップ２で一回だけ録画可能か否かを判断する。この判断ではＣＧＭＳに組み込まれている情報が上記（ｉｉｉ）なら一回だけ録画可能ではないと判断し、ステップ７で通常の録画処理を実行し、この記録処理を終了する。また、上記（ｉｉ）ならばステップ２で一回だけ録画可能と判断し、ステップ３でＤＶＤ＋ＲＷディスクか否かを判断し、ＤＶＤ＋ＲＷディスクでなければ他の処理に移行し、ＤＶＤ＋ＲＷディスクであれば、ステップ４でフォーマットされているか否かを判断し、フォーマットされていなければ、ステップ５でフォーマット処理を実行する。
ＤＶＤレコーダ制御装置２のコントローラ２４は、ステップ６でその装置の機器固有識別情報を使って記録する映像を暗号化し、その暗号化したデータをＤＶＤ＋ＲＷドライブ装置へ送り、ＤＶＤ＋ＲＷドライブ装置のコントローラはそのデータをＤＶＤ＋ＲＷディスクに録画する処理を実行し、この処理を終了する。
【００４６】
ステップ４の判断でフォーマットされていれば、ステップ８でドライブＩＤが一致するか否かを判断する。
この判断は、ＤＶＤ＋ＲＷディスクに記録されているドライブＩＤとこのＤＶＤ＋ＲＷドライブ装置のドライブＩＤ格納部１６に格納されたドライブＩＤとが一致するか否かをチェックし、一致するならこのＤＶＤ＋ＲＷディスクはこのＤＶＤ＋ＲＷドライブ装置でフォーマットされた記録が許可されたメディアであると判断し、一致しなければこのＤＶＤ＋ＲＷディスクは他のＤＶＤ＋ＲＷドライブ装置でフォーマットされた記録が許可されないメディアであると判断する。
ステップ８の判断でドライブＩＤが一致しなければ記録処理を終了し、ドライブＩＤが一致すれば、ステップ６でＤＶＤレコーダ制御装置によってその装置の機器固有識別情報を使って暗号化し、ＤＶＤ＋ＲＷドライブ装置によってそのデータをＤＶＤ＋ＲＷディスクに録画する処理を実行し、この処理を終了する。
【００４７】
図３は、上記ＤＶＤ＋ＲＷドライブ装置１におけるフォーマット処理を示すフローチャート図である。
コントローラ１８は、ステップ１１でＤＶＤ＋ＲＷディスクがフォーマット済みか否かを判断し、フォーマット済みならこの処理を終了し、フォーマット済みでなければステップ１２でフォーマットを実施し、ドライブＩＤ格納部１６に格納されたドライブＩＤを読み出してＤＶＤ＋ＲＷディスクのＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を書き込み、フォーマット処理を終了する。
【００４８】
（２）ＣＰＲＭ記録されたメディアはその装置でのみ再生が許可されなければならない。
ここで、ＤＶＤ＋ＲＷドライブにおけるＤＶＤ＋ＲＷメディアの扱いについて説明する。ＤＶＤ＋ＲＷメディアは発売された状態ではブランクメディアになっている。このディスクに記録する場合には、記録する前にフォーマットという作業が行われなければならない。
そのフォーマットはＤＶＤ＋ＲＷドライブ装置１の固有の動作であり、この時にＤＶＤ＋ＲＷディスクの規約に従ってフォーマット情報（ＦＤＢＣと言われる管理情報）がメディアに記録される。
【００４９】
この管理情報には、最初にディスクをフォーマットしたドライブＩＤが記述されることが約束されている。
このドライブＩＤは、フォーマットしたドライブを特定するために固有の値であれば世の中で唯一一つの存在となり、ＣＰＲＭの約束の記録した装置でのみの再生に使用することが出来る。
つまり、ＣＰＲＭ記録されたメディアの再生する方式において、ＤＶＤ＋ＲＷメディアを使用する場合のフォーマット動作を利用してメディアに記録されるＤＶＤ＋ＲＷドライブのドライブ固有情報を使って再生を制御する装置にする。
【００５０】
そこで、この実施形態のＤＶＤ＋ＲＷドライブ装置１は、図１に示したコントローラ１８のメモリに、ＤＶＤ＋ＲＷディスク１９をフォーマットすると共に、そのフォーマット時にＤＶＤ＋ＲＷディスク１９の所定領域に予め当該装置に記憶されたドライブＩＤ（固有の識別情報）を記録するフォーマット手順と、そのフォーマット手順によってフォーマットされたＤＶＤ＋ＲＷディスクにＤＶＤ＋ＲＷアライアンスによって規格化されたＤＶＤ＋ＲＷビデオレコーディングフォーマットでデータを記録するデータ記録手順と、そのデータ記録手順によってデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する識別情報記録手順と、外部のＤＶＤレコーダ制御装置２からの再生許可・不許可制御コマンドに基づいてＤＶＤ＋ＲＷディスクの再生時、そのＤＶＤ＋ＲＷディスクに機器固有識別情報（固有の識別情報）が記録されているか否かを判断する固有識別情報記録有無判断手順と、その固有識別情報記録有無判断手順によってＤＶＤ＋ＲＷディスクに固有の識別情報が記録されていると判断されたときには上記予め当該装置に記憶された識別情報と一致するか否かを判断する識別情報一致判断手順と、その識別情報一致判断手順によって識別情報が一致すると判断されたときは上記ＤＶＤ＋ＲＷディスクの再生を可能にし、上記固有識別情報記録有無判断手順によってＤＶＤ＋ＲＷディスクに固有の識別情報が記録されていないと判断されたとき又は上記識別情報一致判断手順によって識別情報が一致しないと判断されたときは上記ＤＶＤ＋ＲＷディスクの再生を不可能にする再生手順を実行させるためのプログラムをインストールして格納している。
【００５１】
そして、コントローラ１８が上記プログラムを実行することにより、ＤＶＤ＋ＲＷディスク１９をフォーマットすると共に、そのフォーマット時にＤＶＤ＋ＲＷディスク１９の所定領域に予め当該装置に記憶された固有の識別情報を記録するフォーマット手順と、そのフォーマット手順によってフォーマットされたＤＶＤ＋ＲＷディスクにＤＶＤ＋ＲＷアライアンスによって規格化されたＤＶＤ＋ＲＷビデオレコーディングフォーマットでデータを記録するデータ記録手順と、そのデータ記録手順によってデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する識別情報記録手順と、外部のＤＶＤレコーダ制御装置２からの再生許可・不許可制御コマンドに基づいてＤＶＤ＋ＲＷディスクの再生時、そのＤＶＤ＋ＲＷディスクに固有の識別情報が記録されているか否かを判断する固有識別情報記録有無判断手順と、その固有識別情報記録有無判断手順によってＤＶＤ＋ＲＷディスクに固有の識別情報が記録されていると判断されたときには上記予め当該装置に記憶された識別情報と一致するか否かを判断する識別情報一致判断手順と、その識別情報一致判断手順によって識別情報が一致すると判断されたときは上記ＤＶＤ＋ＲＷディスクの再生を可能にし、上記固有識別情報記録有無判断手順によってＤＶＤ＋ＲＷディスクに固有の識別情報が記録されていないと判断されたとき又は上記識別情報一致判断手順によって識別情報が一致しないと判断されたときは上記ＤＶＤ＋ＲＷディスクの再生を不可能にする再生手順とからなる情報記録再生方法を実行する。
【００５２】
すなわち、コントローラ１８が、この発明の請求項３に係る機能として、固有の識別情報を記憶する識別情報記憶手段と、ＤＶＤ＋ＲＷディスクをフォーマットすると共に、そのフォーマット時に前記ＤＶＤ＋ＲＷディスクの所定領域に上記識別コード記憶手段に記憶された識別情報を記録するフォーマット手段と、そのフォーマット手段によってフォーマットされたＤＶＤ＋ＲＷディスクにＤＶＤ＋ＲＷアライアンスによって規格化されたＤＶＤ＋ＲＷビデオレコーディングフォーマットでデータを記録するデータ記録手段と、そのデータ記録手段によってデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する識別情報記録手段と、外部からの再生許可・不許可制御コマンドに基づいてＤＶＤ＋ＲＷディスクの再生時、そのＤＶＤ＋ＲＷディスクに固有の識別情報が記録されているか否かを判断する固有識別情報記録有無判断手段と、その固有識別情報記録有無判断手段によってＤＶＤ＋ＲＷディスクに固有の識別情報が記録されていると判断されたときには上記識別情報記憶手段に記憶された識別情報と一致するか否かを判断する識別情報一致判断手段と、その識別情報一致判断手段によって識別情報が一致すると判断されたときは上記ＤＶＤ＋ＲＷディスクの再生を可能にし、上記固有識別情報記録有無判断手段によってＤＶＤ＋ＲＷディスクに固有の識別情報が記録されていないと判断されたとき又は上記識別情報一致判断手段によって識別情報が一致しないと判断されたときは上記ＤＶＤ＋ＲＷディスクの再生を不可能にする再生手段の機能を果たす。
【００５３】
また、以上のことから記録したＤＶＤ＋ＲＷディスクがＣＧＭＳ，ＣＰＲＭ対応であると判断した場合にＤＶＤ＋ＲＷドライブ装置１に対して再生するメディアのフォーマット情報からそのメディアが再生するドライブと一致しているかどうかをＤＶＤレコーダ制御装置２側からコントロールするコマンド（例えば、ＣＰＲＭ再生許可／不許可コマンド）を設定し、そのコマンドを使って一致していない場合には再生しないように制御することが実現出来る。
【００５４】
さらに、この実施形態のＤＶＤレコーダ制御装置２は、図１に示したコントローラ２４のメモリに、外部に接続されたＤＶＤ＋ＲＷドライブ装置（情報記録再生装置）１へ再生許可・不許可制御コマンドを出力し、上記ＤＶＤ＋ＲＷドライブ装置１内部でＤＶＤ＋ＲＷディスクの再生を制御させる再生制御手順を実行させるためのプログラムをインストールして格納している。
そして、コントローラ２４が上記プログラムを実行することにより、外部に接続されたＤＶＤ＋ＲＷドライブ装置（情報記録再生装置）１に対して再生許可・不許可制御コマンドを出力し、ＤＶＤ＋ＲＷドライブ装置１内部でＤＶＤ＋ＲＷディスクの再生を制御させる再生制御手順の処理を実行する。
【００５５】
すなわち、コントローラ２４が、ＤＶＤ＋ＲＷドライブ装置（情報記録再生装置）１にデータ入出力可能に接続する接続手段と、上記ＤＶＤ＋ＲＷドライブ装置１へ再生許可・不許可制御コマンドを出力し、ＤＶＤ＋ＲＷドライブ装置１内部でＤＶＤ＋ＲＷディスクの再生を制御させる再生制御手段の機能を果たす。
【００５６】
図４は、図１に示したＤＶＤレコーダ装置におけるデータ再生処理を示すフローチャート図である。
ＤＶＤ＋ＲＷドライブ装置１のコントローラ１８は、ステップ２１で再生対象のＤＶＤ＋ＲＷディスクがＣＰＲＭでデータが記録されているか否かを判断し、その記録でなければステップ２４で通常再生処理を実行し、処理を終了する。
ステップ２１の判断でＣＰＲＭ記録なら、ステップ２２でＤＶＤ＋ＲＷディスクに記録されたドライブＩＤと自装置のドライブＩＤとが一致するか否かを判断し、一致しなければ再生処理を終了し、一致すればステップ２３でドライブＩＤを使ってＤＶＤ＋ＲＷドライブ装置から受け取ったデータの暗号を解除して再生し、この再生処理を終了する。
【００５７】
このようにして、暗号化されて記録されたデータは、そのＤＶＤレコーダ制御装置固有の識別情報のものでしか解読することが出来ない。
したがって、別のＤＶＤ＋ＲＷドライブ装置によって記録されたＤＶＤ＋ＲＷディスクとＤＶＤ＋ＲＷドライブ装置を持ち込んで交換したとしても再生することは出来ない。
この実施形態のＤＶＤレコーダ装置によれば、現状のハードウェア構成のままでファームウェアの更新だけでＣＧＭＳ，ＣＰＲＭへの対応が可能になる。
また、本発明の実施例としては同様の構成が考えられるパーソナルコンピュータでも同じように適用することができる。
【００５８】
上述の実施形態では、光ディスクとしてＤＶＤ＋ＲＷディスクを用いた場合を説明したが、同様にしてメディア固有の識別情報を持たない光ディスクについても容易に実施することができる。また、上記ＤＶＤ＋ＲＷビデオレコーディングフォーマットは一例であり、他の各種のビデオレコーディングフォーマットについても適用することができる。さらに、上記データの複製を制御する仕組みであるＣＧＭＳ又はデータを記録するときの暗号化方式であるＣＰＲＭに基づくデータ記録に代えて、その他の世代管理された又は暗号化されたデータ記録についても容易に実施することができる。
【００５９】
次に、この発明の他の実施形態について説明する。
現在、ＣＰＲＭによるデータの記録と再生については、４Ｃエンティティー（（４Ｃ  Ｅｎｔｉｔｙ）：ＩＢＭ，Ｉｎｔｅｌ，松下電器，東芝（以上、登録商標）によって結成された団体））によって管理，運営されている。
ＣＰＲＭとは、一回だけ録画を許された番組に対してスクランブルをかけて録画する著作権保護技術であり、このＣＰＲＭによってデータを記録するには、上記４Ｃエンティティーの規定により、予め特殊な加工が施されているＣＰＲＭ対応光ディスク（特別な記録用メディア）が必要である。
【００６０】
この４Ｃエンティティーの規定によるＣＰＲＭ対応光ディスクは、バースト・カッティング領域（Ｂｕｒｓｔ  Ｃｕｔｔｉｎｇ  Ａｒｅａ：ＢＣＡ）とエンボスド・データ・ゾーン（Ｅｍｂｏｓｓｅｄ  ｄａｔａ  ｚｏｎｅ）を有し、バースト・カッティング領域に、光ディスク毎に固有な情報であるメディアＩＤ（Ｍｅｄｉａ  ＩＤ）を記録しており、エンボスド・データ・ゾーンにメディア・キー・ブロック（Ｍｅｄｉａ  Ｋｅｙ  Ｂｌｏｃｋ：ＭＫＢ）がある。
そして、これらのメディアＩＤとＭＫＢを使って映像データ等のデータを暗号化して光ディスクに記録している。
【００６１】
ＭＫＢは、通常の光ディスクにもあるコントロール・データ領域（Ｃｏｎｔｒｏｌ  Ｄａｔａ  Ａｒｅａ）に存在することから特別なハードを持たない情報記録再生装置でも読み取ることは可能であるが、メディアＩＤは、通常の光ディスクのデータ記録領域やリードイン（Ｌｅａｄ−ｉｎ）領域とは異なるＢＣＡ領域に存在し、それを読み取るには特別なハードウェアを持った情報記録再生装置が必要である。
つまり、このメディアＩＤが読めなければ、その光ディスクに記録されたデータの再生も複製も不可能である。
【００６２】
ここで、４Ｃエンティティーの規定によるＣＰＲＭ対応光ディスクのＢＣＡ領域にあるメディアＩＤを読み取る為には特別なハードウェアが必要であり、従来の情報再生装置では再生が不可能である。また、４Ｃエンティティーの規定によるＣＰＲＭ対応光ディスクは、光ディスク自体に特別な加工を施さなければならないので、製造段階での加工が必要となり通常よりもコストがかかる。
そこで、特別なハードウェアを用意しなくても、通常の光ディスクをＣＰＲＭによるデータの記録とその記録されたデータを再生できるＣＰＲＭ対応光ディスクにすれば、従来の情報再生装置でも再生が可能になり、光ディスク自体に特別な加工を施さなくてもよいのでコストがかからない。
【００６３】
次に、通常の光ディスクをＣＰＲＭによるデータの記録とその記録されたデータを再生できるＣＰＲＭ対応光ディスクにする情報記録再生装置の実施形態を説明する。
この実施形態のＤＶＤ＋ＲＷドライブ装置は、図１に示したＤＶＤ＋ＲＷドライブ装置と同じ構成であるが、コントローラ１８のＲＯＭやＲＡＭ等のメモリに、ＣＰＵに光ディスクに記録するデータをＣＰＲＭで暗号化するのに使用し、光ディスク毎に固有な情報であるメディアＩＤを生成するメディアＩＤ生成手順と、そのメディアＩＤ生成手順によって生成したメディアＩＤを光ディスクの所定領域に記録するメディアＩＤ記録手順を実行させるプログラム，光ディスクから暗号化されて記録されたメディアＩＤを再生して解読する解読手順を実行させるプログラムを記録し、そのプログラムの手順を実行することによってこの発明に係る機能、すなわち、光ディスクに記録するデータをＣＰＲＭで暗号化するのに使用し、光ディスク毎に固有な情報であるメディアＩＤを生成するメディアＩＤ生成手段と、そのメディアＩＤ生成手段によって生成したメディアＩＤを光ディスクの所定領域に記録するメディアＩＤ記録手段を実現する。そのコントローラ１８により、後述のこの発明に係る情報記録再生方法の処理を行う。
【００６４】
図５は、４Ｃエンティティーの規定によるＣＰＲＭ対応光ディスクとこの実施形態のＤＶＤ＋ＲＷドライブ装置で作成するＣＰＲＭ対応光ディスクの記録位置等の関係を示す説明図である。
図５の（ａ）は、４Ｃエンティティーの規定によるＣＰＲＭ対応光ディスクのメディアＩＤとＭＫＢの記録位置を示しており、図５の（ｂ）は、このＤＶＤ＋ＲＷドライブ装置で作成するＣＰＲＭ対応光ディスクのメディアＩＤとＭＫＢの記録位置を示している。
図５の（ａ）に示すように、４Ｃエンティティーの規定によるＣＰＲＭ対応光ディスクでは、リードイン領域４０よりも内周側に新たなＢＣＡ領域４１を設け、リードイン領域４０にＭＫＢ等を記録し、ＢＣＡ領域４１にメディアＩＤを記録しているので、そのＢＣＡ領域４１までアクセスするために、光ピックアップを図中の範囲４２で移動させることのできる特別なハードウェアを設けたＤＶＤ＋ＲＷドライブ装置が必要である。
【００６５】
一方、図５の（ｂ）に示すように、この実施形態のＤＶＤ＋ＲＷドライブ装置では、通常の光ディスクに備わるリードイン領域４０にメディアＩＤとＭＫＢ等を記録するので、光ピックアップの移動範囲は図中の範囲４３までで良く、ＤＶＤ＋ＲＷドライブ装置に特別なハードウェアを設ける必要がない。
【００６６】
まず、この実施形態のＤＶＤ＋ＲＷドライブ装置では、光ディスクであればＤＶＤ−ＲＷディスク，ＤＶＤ＋ＲＷディスク等のリライタブルメディアや、ＤＶＤ−Ｒディスク，ＤＶＤ＋Ｒディスク等の一回だけ記録出来るメディアの区別はなく、ＣＰＲＭ対応光ディスクを作成できる。
このＤＶＤ＋ＲＷドライブ装置は、最初にＣＰＲＭ非対応光ディスクを使用した場合に、このＣＰＲＭ非対応光ディスクをＣＰＲＭ対応光ディスクにする。
図６は、コントローラ１８によるＣＰＲＭ対応光ディスク作成時の処理を示すフローチャート図である。
コントローラ１８は、まず、光ディスクをデータ記録可能にするために、その光ディスクにフォーマット処理を施すが、このフォーマット処理を利用してＣＰＲＭ対応光ディスクにする。
【００６７】
コントローラ１８は、ステップ（図中「Ｓ」で示す）３１で光ディスクがフォーマット済みか否かを判断し、フォーマット済みでなければ、ステップ３２へ進み、フォーマット済みならステップ３５でＣＰＲＭ対応光ディスクか否かを判断する。
この判断では、光ディスクの所定領域にメディアＩＤが記録されているか否かをチェックし、記録されていなければＣＰＲＭ対応光ディスクでは無いと判断し、ステップ３２へ進み、記録されていればＣＰＲＭ対応光ディスクであると判断し、この処理を終了する。
ステップ３２で光ディスクに記録するデータをＣＰＲＭで暗号化するのに使用し、光ディスク毎に固有な情報であるメディアＩＤを生成し、そのメディアＩＤを暗号化する。
ステップ３３でＭＫＢを生成する。ステップ３４で光ディスクにフォーマットを実施し、上記メディアＩＤとＭＫＢを光ディスクの所定領域に記録して、この処理を終了する。
【００６８】
上記生成されるメディアＩＤは光ディスク（メディア）毎にユニークな情報である必要がある。
また、上記メディアＩＤとＭＫＢは、再生専用装置でもアクセス可能（認識可能）な領域であるリードイン領域のコントロール・データ・ゾーン（Ｃｏｎｔｒｏｌ  Ｄａｔａ  Ｚｏｎｅ）等の領域に記録するとよい。
さらに、メディアＩＤを暗号化して記録することにより、ＣＰＲＭ再生可能装置以外で安易に解読されるのを防止する。
また、ＭＫＢに関しては、光ディスクがＤＶＤ＋Ｒディスク，ＤＶＤ＋ＲＷディスクであれば、アドレス・イン・プリグルーブ（Ａｄｄｒｅｓｓ  ｉｎ  ｐｒｅ−ｇｒｏｏｖｅ：ＡＤＩＰ）と呼ばれるアドレス情報から生成されるデータから生成し、フォーマット時に記録する。ＭＫＢの記録領域はすでに定義されている（ＡＤＩＰから生成されるデータには、リードイン領域に記録する情報が含まれている）。
【００６９】
このようにして、ＣＰＲＭ非対応光ディスクに、ＣＰＲＭ対応光ディスクに必要なメディアＩＤとＭＫＢの情報を記録することにより、ＣＰＲＭ対応光ディスクにすることができる。
上記の処理で作成されたＣＰＲＭ対応光ディスクへのＣＰＲＭによるデータ記録の処理動作の流れとコマンドシーケンスについては、４Ｃエンティティーが発行しているＣＰＲＭスペシフィケーション（ＣＰＲＭ  Ｓｐｅｃｉｆｉｃａｔｉｏｎ）で定義されている流れを実施することでＣＰＲＭ記録が可能となる。
【００７０】
こうして、４Ｃエンティティーの規定によるＣＰＲＭ対応光ディスクを用意しなくても、通常の光ディスクをＣＰＲＭによる記録と再生ができるようにすることができる。
また、ＤＶＤ＋ＲＷドライブ装置を現状のハードウェア構成のままにし、そのファームウェアの更新（ＲＯＭに格納するプログラムの更新）だけでＣＰＲＭによるデータ記録への対応が可能になる。
【００７１】
この実施形態のＤＶＤ＋ＲＷドライブ装置で作成したＣＰＲＭ対応光ディスクに記録したデータの再生に関しては、リードイン領域にメディアＩＤとＭＫＢが存在するので、コントローラ１８の制御により、ＣＰＲＭ対応光ディスクのリードイン領域からメディアＩＤとＭＫＢを再生して読み出し、その暗号化されているメディアＩＤを解読し、その解読したメディアＩＤとＭＫＢに基づいてＣＰＲＭで記録されたデータを再生する。
その再生の処理動作の流れとコマンドシーケンスについては、４Ｃエンティティーが発行しているＣＰＲＭスペシフィケーション（ＣＰＲＭ  Ｓｐｅｃｉｆｉｃａｔｉｏｎ）で定義されている流れを実施することでＣＰＲＭ再生が可能となる。
このようにして、ＤＶＤ＋ＲＷドライブ装置を現状のハードウェア構成のままにし、そのファームウェアの更新（ＲＯＭに格納するプログラムの更新）だけでＣＰＲＭによるデータ再生への対応が可能になる。
また、上記実施形態では、ＤＶＤ＋ＲＷディスクの場合について説明したが、ＤＶＤ＋Ｒディスクについても同様にして実施することができる。
【産業上の利用可能性】
【００７２】
この発明による情報記録装置，情報出力装置，情報記録再生装置，情報再生制御装置，情報記録方法，情報出力方法，情報記録再生方法，情報再生制御方法及びプログラムは、デスクトップパソコン，ノートブックパソコン等のパーソナルコンピュータにおいても適用することができる。
【図面の簡単な説明】
【００７３】
【図１】この発明の一実施形態であるＤＶＤレコーダ装置の構成を示すブロック図である。
【図２】図１に示すＤＶＤレコーダ装置におけるデータ記録処理を示すフローチャート図である。
【図３】図１に示すＤＶＤ＋ＲＷドライブ装置１におけるフォーマット処理を示すフローチャート図である。
【００７４】
【図４】図１に示すＤＶＤレコーダ装置におけるデータ再生処理を示すフローチャート図である。
【図５】４Ｃエンティティーの規定によるＣＰＲＭ対応光ディスクとこの実施形態のＤＶＤ＋ＲＷドライブ装置で作成するＣＰＲＭ対応光ディスクの記録位置等の関係を示す説明図である。
【図６】この発明の他の実施形態のＤＶＤ＋ＲＷドライブ装置のコントローラによるＣＰＲＭ対応光ディスク作成時の処理を示すフローチャート図である。
【符号の説明】
【００７５】
１：ＤＶＤ＋ＲＷドライブ装置    ２：ＤＶＤレコーダ制御装置    １０：モータ    １１：回転制御系部    １２：光ピックアップ    １３：粗動モータ／光ピックアップ制御系部    １４：信号処理系部    １５：キャッシュメモリ    １６：ドライブＩＤ格納部    １７，２２：外部インタフェース制御系部    １８，２４：コントローラ    １９：ＤＶＤ＋ＲＷディスク    ２０：映像信号発生機    ２１：データ変換部    ２３：機器固有識別情報記憶部    ３０：外部インタフェース    ４０：リードイン領域    ４１：ＢＣＡ領域
【図１】
2005050490.tif 000005
【図２】
2005050490.tif 000006
【図３】
2005050490.tif 000007
【図４】
2005050490.tif 000008
【図５】
2005050490.tif 000009
【図６】
2005050490.tif 000010
【手続補正書】
【提出日】平成16年7月29日(2004.7.29)
【手続補正１】
【補正対象書類名】特許請求の範囲
【補正対象項目名】全文
【補正方法】変更
【補正の内容】
【特許請求の範囲】
【請求項１】
固有の識別情報を記憶する識別情報記憶手段と、光ディスクをフォーマットすると共に、該フォーマット時に前記光ディスクの所定領域に前記識別コード記憶手段に記憶された識別情報を記録するフォーマット手段と、該フォーマット手段によってフォーマットされた光ディスクにビデオレコーディングフォーマットでデータを記録するデータ記録手段と、該データ記録手段によってデータを記録する時、前記ビデオレコーディングフォーマットの所定領域に世代管理された又は暗号化されたデータ記録であることを示す識別情報を記録する識別情報記録手段と、外部からの再生許可・不許可制御コマンドに基づいて光ディスクの再生時、該光ディスクに固有の識別情報が記録されているか否かを判断する固有識別情報記録有無判断手段と、該固有識別情報記録有無判断手段によって光ディスクに固有の識別情報が記録されていると判断されたときには前記識別情報記憶手段に記憶された識別情報と一致するか否かを判断する識別情報一致判断手段と、該識別情報一致判断手段によって識別情報が一致すると判断されたときは前記光ディスクの再生を可能にし、前記固有識別情報記録有無判断手段によって光ディスクに固有の識別情報が記録されていないと判断されたとき又は前記識別情報一致判断手段によって識別情報が一致しないと判断されたときは前記光ディスクの再生を不可能にする再生手段とを備えたことを特徴とする情報記録再生装置。
【請求項２】
前記光ディスクがメディア固有の識別情報を持たない光ディスクであることを特徴とする請求項１記載の情報記録再生装置。
【請求項３】
前記光ディスクがＤＶＤ＋ＲＷディスクもしくはＤＶＤ＋Ｒディスクであることを特徴とする請求項１又は２記載の情報記録再生装置。
【請求項４】
前記ビデオレコーディングフォーマットがＤＶＤ＋ＲＷビデオレコーディングフォーマットもしくはＤＶＤ＋Ｒビデオレコーディングフォーマットであることを特徴とする請求項１乃至３のいずれか一項に記載の情報記録再生装置。
【請求項５】
前記世代管理された又は暗号化されたデータ記録がデータの複製を制御する仕組みであるＣＧＭＳ又はデータを記録するときの暗号化方式であるＣＰＲＭに基づくデータ記録であることを特徴とする請求項１乃至４のいずれか一項に記載の情報記録再生装置。
【請求項６】
請求項１乃至５のいずれか一項に記載の情報記録再生装置にデータ入出力可能に接続する接続手段と、前記情報記録装置へ前記再生許可・不許可制御コマンドを出力し、前記情報記録装置内部で前記ディスクの再生を制御させる再生制御手段を備えたことを特徴とする情報再生制御装置。
【請求項７】
光ディスクに対するデータの記録及び再生を行う装置において実行する情報記録再生方法であって、前記光ディスクをフォーマットすると共に、該フォーマット時に前記光ディスクの所定領域に予め当該装置に記憶された固有の識別情報を記録するフォーマット手順と、該フォーマット手順によってフォーマットされた光ディスクにビデオレコーディングフォーマットでデータを記録するデータ記録手順と、該データ記録手順によってデータを記録する時、前記ビデオレコーディングフォーマットの所定領域に世代管理された又は暗号化されたデータ記録であることを示す識別情報を記録する識別情報記録手順と、外部からの再生許可・不許可制御コマンドに基づいてディスクの再生時、該光ディスクに固有の識別情報が記録されているか否かを判断する固有識別情報記録有無判断手順と、該固有識別情報記録有無判断手順によって光ディスクに固有の識別情報が記録されていると判断されたときには前記予め当該装置に記憶された識別情報と一致するか否かを判断する識別情報一致判断手順と、該識別情報一致判断手順によって識別情報が一致すると判断されたときは前記光ディスクの再生を可能にし、前記固有識別情報記録有無判断手順によって光ディスクに固有の識別情報が記録されていないと判断されたとき又は前記識別情報一致判断手順によって識別情報が一致しないと判断されたときは前記光ディスクの再生を不可能にする再生手順とからなることを特徴とする情報記録再生方法。
【請求項８】
前記光ディスクがメディア固有の識別情報を持たない光ディスクであることを特徴とする請求項７記載の情報記録再生方法。
【請求項９】
前記光ディスクがＤＶＤ＋ＲＷディスクもしくはＤＶＤ＋Ｒディスクであることを特徴とする請求項７又は８記載の情報記録再生方法。
【請求項１０】
前記ビデオレコーディングフォーマットがＤＶＤ＋ＲＷビデオレコーディングフォーマットもしくはＤＶＤ＋Ｒビデオレコーディングフォーマットであることを特徴とする請求項７乃至９のいずれか一項に記載の情報記録再生方法。
【請求項１１】
前記世代管理された又は暗号化されたデータ記録がデータの複製を制御する仕組みであるＣＧＭＳ又はデータを記録するときの暗号化方式であるＣＰＲＭに基づくデータ記録であることを特徴とする請求項７乃至１０のいずれか一項に記載の情報記録再生方法。
【請求項１２】
前記光ディスクに記録するデータをＣＰＲＭで暗号化するのに使用し、光ディスク毎に固有な情報であるメディアＩＤを生成するメディアＩＤ生成手順と、該メディアＩＤ生成手順によって生成したメディアＩＤを前記光ディスクの所定領域に記録するメディアＩＤ記録手順とを有することを特徴とする請求項８記載の情報記録再生方法。
【請求項１３】
前記メディアＩＤ記録手順は、前記メディアＩＤ生成手順によって生成したメディアＩＤを暗号化して前記光ディスクの所定領域に記録する手順であることを特徴とする請求項１２記載の情報記録再生方法。
【請求項１４】
前記所定領域は、光ディスクの再生専用装置でも認識可能な領域であることを特徴とする請求項１２又は１３記載の情報記録再生方法。
【請求項１５】
前記光ディスクから暗号化されて記録されたメディアＩＤを再生して解読する解読手順を有することを特徴とする請求項１３又は１４記載の情報記録再生方法。
【手続補正３】
【補正対象書類名】明細書
【補正対象項目名】０００１
【補正方法】変更
【補正の内容】
【０００１】
この発明は、ＤＶＤ＋ＲＷディスク等の光ディスクに対するデータ記録再生可能なＤＶＤ＋ＲＷドライブ等の情報記録再生装置と、その情報記録再生装置に対するデータ入出力が可能なパーソナルコンピュータ等の情報再生制御装置とに関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
この発明は上記の目的を達成するため、次の情報記録再生装置と情報再生制御装置を提供する。
（１）固有の識別情報を記憶する識別情報記憶手段と、光ディスクをフォーマットすると共に、そのフォーマット時に上記光ディスクの所定領域に上記識別コード記憶手段に記憶された識別情報を記録するフォーマット手段と、そのフォーマット手段によってフォーマットされた光ディスクにビデオレコーディングフォーマットでデータを記録するデータ記録手段と、そのデータ記録手段によってデータを記録する時、上記ビデオレコーディングフォーマットの所定領域に世代管理された又は暗号化されたデータ記録であることを示す識別情報を記録する識別情報記録手段と、外部からの再生許可・不許可制御コマンドに基づいて光ディスクの再生時、その光ディスクに固有の識別情報が記録されているか否かを判断する固有識別情報記録有無判断手段と、その固有識別情報記録有無判断手段によって光ディスクに固有の識別情報が記録されていると判断されたときには上記識別情報記憶手段に記憶された識別情報と一致するか否かを判断する識別情報一致判断手段と、その識別情報一致判断手段によって識別情報が一致すると判断されたときは上記光ディスクの再生を可能にし、上記固有識別情報記録有無判断手段によって光ディスクに固有の識別情報が記録されていないと判断されたとき又は上記識別情報一致判断手段によって識別情報が一致しないと判断されたときは上記光ディスクの再生を不可能にする再生手段を備えた情報記録再生装置。
【手続補正８】
【補正対象書類名】明細書
【補正対象項目名】００１１
【補正方法】変更
【補正の内容】
【００１１】
（２）上記（１）の情報記録再生装置において、上記光ディスクがメディア固有の識別情報を持たない光ディスクである情報記録再生装置。
（３）上記（１）（２）の情報記録再生装置において、上記光ディスクがＤＶＤ＋ＲＷディスクもしくはＤＶＤ＋Ｒディスクである情報記録再生装置。
（４）上記（１）〜（３）の情報記録再生装置において、上記ビデオレコーディングフォーマットがＤＶＤ＋ＲＷビデオレコーディングフォーマットもしくはＤＶＤ＋Ｒビデオレコーディングフォーマットである情報記録再生装置。
（５）上記（１）〜（４）の情報記録再生装置において、上記世代管理された又は暗号化されたデータ記録がデータの複製を制御する仕組みであるＣＧＭＳ又はデータを記録するときの暗号化方式であるＣＰＲＭに基づくデータ記録である情報記録再生装置。
【手続補正９】
【補正対象書類名】明細書
【補正対象項目名】００１２
【補正方法】変更
【補正の内容】
【００１２】
（６）上記（１）〜（５）の情報記録再生装置にデータ入出力可能に接続する接続手段と、上記情報記録装置へ上記再生許可・不許可制御コマンドを出力し、上記情報記録装置内部で上記ディスクの再生を制御させる再生制御手段を備えた情報再生制御装置。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
また、次の情報記録再生方法も提供する。
（７）光ディスクに対するデータの記録及び再生を行う装置において実行する情報記録再生方法であって、上記光ディスクをフォーマットすると共に、そのフォーマット時に上記光ディスクの所定領域に予め当該装置に記憶された固有の識別情報を記録するフォーマット手順と、そのフォーマット手順によってフォーマットされた光ディスクにビデオレコーディングフォーマットでデータを記録するデータ記録手順と、そのデータ記録手順によってデータを記録する時、上記ビデオレコーディングフォーマットの所定領域に世代管理された又は暗号化されたデータ記録であることを示す識別情報を記録する識別情報記録手順と、外部からの再生許可・不許可制御コマンドに基づいてディスクの再生時、その光ディスクに固有の識別情報が記録されているか否かを判断する固有識別情報記録有無判断手順と、その固有識別情報記録有無判断手順によって光ディスクに固有の識別情報が記録されていると判断されたときには上記予め当該装置に記憶された識別情報と一致するか否かを判断する識別情報一致判断手順と、その識別情報一致判断手順によって識別情報が一致すると判断されたときは上記光ディスクの再生を可能にし、上記固有識別情報記録有無判断手順によって光ディスクに固有の識別情報が記録されていないと判断されたとき又は上記識別情報一致判断手順によって識別情報が一致しないと判断されたときは上記光ディスクの再生を不可能にする再生手順とからなる情報記録再生方法。
【手続補正１４】
【補正対象書類名】明細書
【補正対象項目名】００１７
【補正方法】変更
【補正の内容】
【００１７】
（８）上記（７）の情報記録再生方法において、上記光ディスクがメディア固有の識別情報を持たない光ディスクである情報記録再生方法。
（９）上記（７）（８）の情報記録再生方法において、上記光ディスクがＤＶＤ＋ＲＷディスクもしくはＤＶＤ＋Ｒディスクである情報記録再生方法。
（１０）上記（７）〜（８）の情報記録再生方法において、上記ビデオレコーディングフォーマットがＤＶＤ＋ＲＷビデオレコーディングフォーマットもしくはＤＶＤ＋Ｒビデオレコーディングフォーマットである情報記録再生方法。
（１１）上記（７）〜（１０）の情報記録再生方法において、上記世代管理された又は暗号化されたデータ記録がデータの複製を制御する仕組みであるＣＧＭＳ又はデータを記録するときの暗号化方式であるＣＰＲＭに基づくデータ記録である情報記録再生方法。
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】変更
【補正の内容】
【００２３】
さらに、次の各情報記録再生方法も提供する。
（１２）上記（８）の情報記録再生方法において、上記光ディスクに記録するデータをＣＰＲＭで暗号化するのに使用し、光ディスク毎に固有な情報であるメディアＩＤを生成するメディアＩＤ生成手順と、そのメディアＩＤ生成手順によって生成したメディアＩＤを上記光ディスクの所定領域に記録するメディアＩＤ記録手順を有する情報記録再生方法。
（１３）上記（１２）の情報記録再生方法において、上記メディアＩＤ記録手順を、上記メディアＩＤ生成手順によって生成したメディアＩＤを暗号化して上記光ディスクの所定領域に記録する手順にした情報記録再生方法。
（１４）上記（１２）又は（１３）の情報記録再生方法において、上記所定領域を、光ディスクの再生専用装置でも認識可能な領域にした情報記録再生方法。
（１５）上記（１３）又は（１４）の情報記録再生方法において、上記光ディスクから暗号化されて記録されたメディアＩＤを再生して解読する解読手順を有する情報記録再生方法。
【手続補正２１】
【補正対象書類名】明細書
【補正対象項目名】００２４
【補正方法】変更
【補正の内容】
【００２４】
この発明による情報記録再生装置と情報再生制御装置と情報記録再生方法は、ＤＶＤ＋ＲＷディスクをＣＧＭＳ，ＣＰＲＭに対応させることができる。
【手続補正２２】
【補正対象書類名】明細書
【補正対象項目名】００２６
【補正方法】変更
【補正の内容】
【００２６】
ＤＶＤ＋ＲＷドライブ装置１は、この発明に係る情報記録再生装置に相当し、データ記録及び再生が可能な情報記録媒体であるＤＶＤ＋ＲＷディスク（光ディスク）１９に対するデータの記録及び再生を行う。
ＤＶＤ＋ＲＷディスク１９を回転させるスピンドルモータ等のモータ１０と、そのモータ１０の回転を制御する回転制御系部１１と、ＤＶＤ＋ＲＷディスク１９にデータ記録及び再生のためのレーザ光Ｌを照射する光ピックアップ１２を備えている。
【手続補正２３】
【補正対象書類名】明細書
【補正対象項目名】００２８
【補正方法】変更
【補正の内容】
【００２８】
また、このＤＶＤ＋ＲＷドライブ装置の装置固有の識別情報（固有の識別コード）であるドライブＩＤを格納するドライブＩＤ格納部１６と、ＤＶＤレコーダ制御装置２と外部インタフェース３０を介してデータのやり取りが可能に接続し、ＤＶＤレコーダ制御装置２との間のデータのやり取りを制御する外部インタフェース制御系部１７と、ＣＰＵ，ＲＯＭ及びＲＡＭ等からなるマイクロコンピュータによって実現され、図示を省略したＲＯＭやＲＡＭ等のメモリにこの発明に係るプログラムとこの発明の参考例に係るプログラムも含む各種のプログラムを記録し、そのプログラムの手順を実行することによってこの発明に係る機能とこの発明の参考例に係る機能を実現するコントローラ１８を備えている。そのコントローラ１８により、後述のこの発明に係る情報記録再生方法とこの発明の参考例に係る情報記録方法の処理を行う。
【手続補正２４】
【補正対象書類名】明細書
【補正対象項目名】００２９
【補正方法】変更
【補正の内容】
【００２９】
一方、ＤＶＤレコーダ制御装置２は、この発明の参考例に係る情報出力装置及びこの発明に係る情報再生制御装置に相当し、外部インタフェース３０を介してＤＶＤ＋ＲＷドライブ装置１とデータの出力及びデータの入出力可能に接続し、ＤＶＤ＋ＲＷドライブ装置１に記録用のデータを出力したり、ＤＶＤ＋ＲＷドライブ装置１に対してデータ再生制御処理の指示を送ったり、ＤＶＤ＋ＲＷドライブ装置１によって再生されたデータを受け取る。
映像信号発生機２０は、映像記録時にＴＶアンテナ，衛星アンテナ等から映像信号を入力してデータ変換部２１へ送り、映像再生時にデータ変換部２１から受け取った映像信号を外部に接続されたビデオ機器等の端子へ出力する。
【手続補正２５】
【補正対象書類名】明細書
【補正対象項目名】００３１
【補正方法】変更
【補正の内容】
【００３１】
コントローラ２４は、ＣＰＵ，ＲＯＭ及びＲＡＭ等からなるマイクロコンピュータによって実現され、図示を省略したＲＯＭやＲＡＭ等のメモリにこの発明に係るプログラムとこの発明の参考例に係るプログラムも含む各種のプログラムを記録し、そのプログラムの手順を実行することによってこの発明の参考例に係る情報出力方法及び情報再生制御方法の処理を行う。
外部インタフェース３０は、ＤＶＤ＋ＲＷドライブ装置１及びＤＶＤレコーダ制御装置２とを接続し、双方でデータのやり取りを可能にするためのＡＴＡＰＩ，ＳＣＳＩ，ＵＳＢ，ＩＥＥＥ１３９４等のインタフェースである。
【手続補正２６】
【補正対象書類名】明細書
【補正対象項目名】００３９
【補正方法】変更
【補正の内容】
【００３９】
そこで、このＤＶＤ＋ＲＷドライブ装置１は、図１に示したコントローラ１８のメモリに、ＤＶＤ＋ＲＷディスク１９にＤＶＤ＋ＲＷアライアンスによって規格化されたＤＶＤ＋ＲＷビデオレコーディングフォーマットでデータを記録するデータ記録手順と、そのデータ記録手順によってデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する識別情報記録手順を実行させるためのプログラムをインストールして格納している。
【手続補正２７】
【補正対象書類名】明細書
【補正対象項目名】００４１
【補正方法】変更
【補正の内容】
【００４１】
すなわち、コントローラ１８が、ＤＶＤ＋ＲＷディスクにＤＶＤ＋ＲＷアライアンスによって規格化されたＤＶＤ＋ＲＷビデオレコーディングフォーマットでデータを記録するデータ記録手段と、そのデータ記録手段によってデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する識別情報記録手段の機能を果たす。
【手続補正２８】
【補正対象書類名】明細書
【補正対象項目名】００４２
【補正方法】変更
【補正の内容】
【００４２】
さらに、このＤＶＤレコーダ制御装置２は、図１に示したコントローラ２４のメモリに、予め当該装置に記憶された機器固有識別情報（固有の識別コード）とデータを記録するときの暗号化方式であるＣＰＲＭとに基づいて記録用のデータを暗号化する暗号化手順と、その暗号化手順によって暗号化された記録用のデータを外部に接続されたＤＶＤ＋ＲＷドライブ装置（情報記録装置）１へ出力する出力手順を実行させるためのプログラムをインストールして格納している。
【手続補正２９】
【補正対象書類名】明細書
【補正対象項目名】００４３
【補正方法】変更
【補正の内容】
【００４３】
そして、コントローラ２４が上記プログラムを実行することにより、外部に接続されたＤＶＤ＋ＲＷドライブ装置１へデータ出力可能に接続し、予め当該装置に記憶された機器固有識別情報（固有の識別コード）とデータを記録するときの暗号化方式であるＣＰＲＭとに基づいて記録用のデータを暗号化し、その暗号化された記録用のデータをＤＶＤ＋ＲＷドライブ装置１へ出力する処理を行う。
すなわち、コントローラ２４が、上記情報記録装置にデータ出力可能に接続する接続手段と、固有の識別コードを記憶する識別コード記憶手段と、その識別コード記憶手段に記憶された識別コードと上記ＣＰＲＭとに基づいて記録用のデータを暗号化する暗号化手段と、その暗号化手段によって暗号化された記録用のデータを上記接続手段を介して上記情報記録装置へ出力する出力手段の機能を果たす。
【手続補正３０】
【補正対象書類名】明細書
【補正対象項目名】００５０
【補正方法】削除
【補正の内容】
【手続補正３１】
【補正対象書類名】明細書
【補正対象項目名】００５１
【補正方法】変更
【補正の内容】
【００５１】
そこで、コントローラ１８が、ＤＶＤ＋ＲＷディスク１９をフォーマットすると共に、そのフォーマット時にＤＶＤ＋ＲＷディスク１９の所定領域に予め当該装置に記憶された固有の識別情報を記録するフォーマット手順と、そのフォーマット手順によってフォーマットされたＤＶＤ＋ＲＷディスクにＤＶＤ＋ＲＷアライアンスによって規格化されたＤＶＤ＋ＲＷビデオレコーディングフォーマットでデータを記録するデータ記録手順と、そのデータ記録手順によってデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する識別情報記録手順と、外部のＤＶＤレコーダ制御装置２からの再生許可・不許可制御コマンドに基づいてＤＶＤ＋ＲＷディスクの再生時、そのＤＶＤ＋ＲＷディスクに固有の識別情報が記録されているか否かを判断する固有識別情報記録有無判断手順と、その固有識別情報記録有無判断手順によってＤＶＤ＋ＲＷディスクに固有の識別情報が記録されていると判断されたときには上記予め当該装置に記憶された識別情報と一致するか否かを判断する識別情報一致判断手順と、その識別情報一致判断手順によって識別情報が一致すると判断されたときは上記ＤＶＤ＋ＲＷディスクの再生を可能にし、上記固有識別情報記録有無判断手順によってＤＶＤ＋ＲＷディスクに固有の識別情報が記録されていないと判断されたとき又は上記識別情報一致判断手順によって識別情報が一致しないと判断されたときは上記ＤＶＤ＋ＲＷディスクの再生を不可能にする再生手順とからなる情報記録再生方法を実行する。
【手続補正３２】
【補正対象書類名】明細書
【補正対象項目名】００５２
【補正方法】変更
【補正の内容】
【００５２】
すなわち、コントローラ１８が、この発明に係る機能として、固有の識別情報を記憶する識別情報記憶手段と、ＤＶＤ＋ＲＷディスクをフォーマットすると共に、そのフォーマット時に前記ＤＶＤ＋ＲＷディスクの所定領域に上記識別コード記憶手段に記憶された識別情報を記録するフォーマット手段と、そのフォーマット手段によってフォーマットされたＤＶＤ＋ＲＷディスクにＤＶＤ＋ＲＷアライアンスによって規格化されたＤＶＤ＋ＲＷビデオレコーディングフォーマットでデータを記録するデータ記録手段と、そのデータ記録手段によってデータを記録する時、上記ＤＶＤ＋ＲＷビデオレコーディングフォーマットの所定領域にデータの複製を制御する仕組みであるＣＧＭＳ又はデータを記録するときの暗号化方式であるＣＰＲＭに基づくデータ記録であることを示す識別情報を記録する識別情報記録手段と、外部からの再生許可・不許可制御コマンドに基づいてＤＶＤ＋ＲＷディスクの再生時、そのＤＶＤ＋ＲＷディスクに固有の識別情報が記録されているか否かを判断する固有識別情報記録有無判断手段と、その固有識別情報記録有無判断手段によってＤＶＤ＋ＲＷディスクに固有の識別情報が記録されていると判断されたときには上記識別情報記憶手段に記憶された識別情報と一致するか否かを判断する識別情報一致判断手段と、その識別情報一致判断手段によって識別情報が一致すると判断されたときは上記ＤＶＤ＋ＲＷディスクの再生を可能にし、上記固有識別情報記録有無判断手段によってＤＶＤ＋ＲＷディスクに固有の識別情報が記録されていないと判断されたとき又は上記識別情報一致判断手段によって識別情報が一致しないと判断されたときは上記ＤＶＤ＋ＲＷディスクの再生を不可能にする再生手段の機能を果たす。
【手続補正３３】
【補正対象書類名】明細書
【補正対象項目名】００５４
【補正方法】変更
【補正の内容】
【００５４】
さらに、このＤＶＤレコーダ制御装置２は、図１に示したコントローラ２４のメモリに、外部に接続されたＤＶＤ＋ＲＷドライブ装置（情報記録再生装置）１へ再生許可・不許可制御コマンドを出力し、上記ＤＶＤ＋ＲＷドライブ装置１内部でＤＶＤ＋ＲＷディスクの再生を制御させる再生制御手順を実行させるためのプログラムをインストールして格納している。
そして、コントローラ２４が上記プログラムを実行することにより、外部に接続されたＤＶＤ＋ＲＷドライブ装置（情報記録再生装置）１に対して再生許可・不許可制御コマンドを出力し、ＤＶＤ＋ＲＷドライブ装置１内部でＤＶＤ＋ＲＷディスクの再生を制御させる再生制御手順の処理を実行する。
【手続補正３４】
【補正対象書類名】明細書
【補正対象項目名】００５９
【補正方法】変更
【補正の内容】
【００５９】
現在、ＣＰＲＭによるデータの記録と再生については、４Ｃエンティティー（（４Ｃ  Ｅｎｔｉｔｙ）：ＩＢＭ，Ｉｎｔｅｌ，松下電器，東芝（以上、登録商標）によって結成された団体））によって管理，運営されている。
ＣＰＲＭとは、一回だけ録画を許された番組に対してスクランブルをかけて録画する著作権保護技術であり、このＣＰＲＭによってデータを記録するには、上記４Ｃエンティティーの規定により、予め特殊な加工が施されているＣＰＲＭ対応光ディスク（特別な記録用メディア）が必要である。
【手続補正３５】
【補正対象書類名】明細書
【補正対象項目名】００６３
【補正方法】変更
【補正の内容】
【００６３】
次に、通常の光ディスクをＣＰＲＭによるデータの記録とその記録されたデータを再生できるＣＰＲＭ対応光ディスクにする情報記録再生装置について説明する。
このＤＶＤ＋ＲＷドライブ装置は、図１に示したＤＶＤ＋ＲＷドライブ装置と同じ構成であるが、コントローラ１８のＲＯＭやＲＡＭ等のメモリに、ＣＰＵに光ディスクに記録するデータをＣＰＲＭで暗号化するのに使用し、光ディスク毎に固有な情報であるメディアＩＤを生成するメディアＩＤ生成手順と、そのメディアＩＤ生成手順によって生成したメディアＩＤを光ディスクの所定領域に記録するメディアＩＤ記録手順を実行させるプログラム，光ディスクから暗号化されて記録されたメディアＩＤを再生して解読する解読手順を実行させるプログラムを記録し、そのプログラムの手順を実行することによってこの発明に係る機能、すなわち、光ディスクに記録するデータをＣＰＲＭで暗号化するのに使用し、光ディスク毎に固有な情報であるメディアＩＤを生成するメディアＩＤ生成手段と、そのメディアＩＤ生成手段によって生成したメディアＩＤを光ディスクの所定領域に記録するメディアＩＤ記録手段を実現する。そのコントローラ１８により、後述の情報記録再生方法の処理を行う。
【手続補正３６】
【補正対象書類名】明細書
【補正対象項目名】００６４
【補正方法】変更
【補正の内容】
【００６４】
図５は、４Ｃエンティティーの規定によるＣＰＲＭ対応光ディスクとこのＤＶＤ＋ＲＷドライブ装置で作成するＣＰＲＭ対応光ディスクの記録位置等の関係を示す説明図である。
図５の（ａ）は、４Ｃエンティティーの規定によるＣＰＲＭ対応光ディスクのメディアＩＤとＭＫＢの記録位置を示しており、図５の（ｂ）は、このＤＶＤ＋ＲＷドライブ装置で作成するＣＰＲＭ対応光ディスクのメディアＩＤとＭＫＢの記録位置を示している。
図５の（ａ）に示すように、４Ｃエンティティーの規定によるＣＰＲＭ対応光ディスクでは、リードイン領域４０よりも内周側に新たなＢＣＡ領域４１を設け、リードイン領域４０にＭＫＢ等を記録し、ＢＣＡ領域４１にメディアＩＤを記録しているので、そのＢＣＡ領域４１までアクセスするために、光ピックアップを図中の範囲４２で移動させることのできる特別なハードウェアを設けたＤＶＤ＋ＲＷドライブ装置が必要である。
【手続補正３７】
【補正対象書類名】明細書
【補正対象項目名】００６５
【補正方法】変更
【補正の内容】
【００６５】
一方、図５の（ｂ）に示すように、このＤＶＤ＋ＲＷドライブ装置では、通常の光ディスクに備わるリードイン領域４０にメディアＩＤとＭＫＢ等を記録するので、光ピックアップの移動範囲は図中の範囲４３までで良く、ＤＶＤ＋ＲＷドライブ装置に特別なハードウェアを設ける必要がない。
【手続補正３８】
【補正対象書類名】明細書
【補正対象項目名】００６６
【補正方法】変更
【補正の内容】
【００６６】
まず、このＤＶＤ＋ＲＷドライブ装置では、光ディスクであればＤＶＤ−ＲＷディスク，ＤＶＤ＋ＲＷディスク等のリライタブルメディアや、ＤＶＤ−Ｒディスク，ＤＶＤ＋Ｒディスク等の一回だけ記録出来るメディアの区別はなく、ＣＰＲＭ対応光ディスクを作成できる。
このＤＶＤ＋ＲＷドライブ装置は、最初にＣＰＲＭ非対応光ディスクを使用した場合に、このＣＰＲＭ非対応光ディスクをＣＰＲＭ対応光ディスクにする。
図６は、コントローラ１８によるＣＰＲＭ対応光ディスク作成時の処理を示すフローチャート図である。
コントローラ１８は、まず、光ディスクをデータ記録可能にするために、その光ディスクにフォーマット処理を施すが、このフォーマット処理を利用してＣＰＲＭ対応光ディスクにする。
【手続補正３９】
【補正対象書類名】明細書
【補正対象項目名】００７１
【補正方法】変更
【補正の内容】
【００７１】
このＤＶＤ＋ＲＷドライブ装置で作成したＣＰＲＭ対応光ディスクに記録したデータの再生に関しては、リードイン領域にメディアＩＤとＭＫＢが存在するので、コントローラ１８の制御により、ＣＰＲＭ対応光ディスクのリードイン領域からメディアＩＤとＭＫＢを再生して読み出し、その暗号化されているメディアＩＤを解読し、その解読したメディアＩＤとＭＫＢに基づいてＣＰＲＭで記録されたデータを再生する。
その再生の処理動作の流れとコマンドシーケンスについては、４Ｃエンティティーが発行しているＣＰＲＭスペシフィケーション（ＣＰＲＭ  Ｓｐｅｃｉｆｉｃａｔｉｏｎ）で定義されている流れを実施することでＣＰＲＭ再生が可能となる。
このようにして、ＤＶＤ＋ＲＷドライブ装置を現状のハードウェア構成のままにし、そのファームウェアの更新（ＲＯＭに格納するプログラムの更新）だけでＣＰＲＭによるデータ再生への対応が可能になる。
また、上記実施形態では、ＤＶＤ＋ＲＷディスクの場合について説明したが、ＤＶＤ＋Ｒディスクについても同様にして実施することができる。
【手続補正４０】
【補正対象書類名】明細書
【補正対象項目名】００７２
【補正方法】変更
【補正の内容】
【００７２】
この発明による情報記録再生装置，情報再生制御装置，情報記録再生方法は、デスクトップパソコン，ノートブックパソコン等のパーソナルコンピュータにおいても適用することができる。
【手続補正４１】
【補正対象書類名】明細書
【補正対象項目名】００７４
【補正方法】変更
【補正の内容】
【００７４】
【図４】図１に示すＤＶＤレコーダ装置におけるデータ再生処理を示すフローチャート図である。
【図５】４Ｃエンティティーの規定によるＣＰＲＭ対応光ディスクとこのＤＶＤ＋ＲＷドライブ装置で作成するＣＰＲＭ対応光ディスクの記録位置等の関係を示す説明図である。
【図６】このＤＶＤ＋ＲＷドライブ装置のコントローラによるＣＰＲＭ対応光ディスク作成時の処理を示すフローチャート図である。